(57)【要約】【課題】新規な発光装置を提供する。また、新規な情報処理装置を提供する。【解決手段】発光素子、筐体および筐体に脱着可能な光学部品を有する構成に想到した。これにより、光学部品が装着された状態で集光された光を照射し、光学部品が取り外された状態で拡散する光を照射することができる。【選択図】図１
2015084324.tif 000002
【特許請求の範囲】
【請求項１】
発光素子と、
前記発光素子を支持する筐体と、
前記筐体に脱着することができる光学部品と、を有し、
前記発光素子は、第１の電極、前記第１の電極と重なる第２の電極および前記第１の電極と前記第２の電極に挟持される発光性の有機化合物を含む層を備え、
前記光学部品は、前記筐体と係合する取り付け部材と、前記取り付け部材を用いて前記筐体に取り付けられた状態で前記発光素子が射出する光を集光する光学シートを備える、発光装置。
【請求項２】
前記光学シートは、平面プリズム、フレンネルレンズまたはフライアイレンズを含む、請求項１記載の発光装置。
【請求項３】
定電流と制御パルス信号が供給され、定電流パルスを供給する開閉回路と、を有し、
前記発光素子は、前記定電流パルスを供給される請求項１または請求項２記載の発光装置。
【請求項４】
前記光学部品の脱着状態を検知して、脱着信号を供給する検知回路と、
前記脱着信号が供給され、前記脱着信号に応じた所定の大きさの定電流を供給する定電流電源と、を有し、
前記発光素子は、前記定電流を供給される請求項１乃至請求項３いずれか一に記載の発光装置。
【請求項５】
発光素子と、
前記発光素子が光を照射する方向を撮影するように配置された撮像部と、
前記発光素子および前記撮像部を備える筐体と、
前記筐体に脱着することができる光学部品と、を有し、
前記発光素子は、第１の電極、前記第１の電極と重なる第２の電極および前記第１の電極と前記第２の電極に挟持される発光性の有機化合物を含む層を備え、
前記光学部品は、前記筐体と係合する取り付け部材と、前記取り付け部材を用いて前記筐体に取り付けられた状態で前記発光素子が射出する光を集光する光学シートを備える、情報処理装置。
【請求項６】
前記光学シートは、平面プリズム、フレンネルレンズまたはフライアイレンズを含む、請求項５記載の情報処理装置。
【請求項７】
定電流と制御パルス信号が供給され、定電流パルスを供給する開閉回路と、を有し、
前記発光素子は、前記定電流パルスを供給される請求項５または請求項６記載の情報処理装置。
【請求項８】
前記光学部品の脱着状態を検知して、脱着信号を供給する検知回路と、
前記脱着信号が供給され、前記脱着信号に応じた所定の大きさの定電流を供給する定電流電源と、を有し、
前記発光素子は、前記定電流を供給される請求項５乃至請求項７のいずれか一に記載の情報処理装置。
【請求項９】
スタート信号を供給するスタートスイッチ回路と、
前記スタート信号が供給され、制御パルス信号を供給するマイコンと、
前記制御パルス信号と定電流が供給され、定電流パルスを供給する開閉回路と、
前記定電流を供給する定電流電源と、
前記定電流パルスが供給され、パルス状の光を射出する発光モジュールと、を有し、
前記発光モジュールは、発光素子および前記発光素子を挟持し、一方から光を射出する微小共振器を備え、
前記発光素子は、下部電極、前記下部電極と重なる上部電極、前記下部電極および前記上部電極に挟持される発光性の有機化合物を含む層を備え、
前記微小共振器は、反射膜、前記反射膜と重なる半透過・半反射膜を備える、発光装置。
【請求項１０】
スタート信号を供給するスタートスイッチ回路と、
前記スタート信号が供給され、制御パルス信号を供給するマイコンと、
前記制御パルス信号と第１の定電流が供給され、第１の定電流パルスを供給する第１の開閉回路と、
前記制御パルス信号と第２の定電流が供給され、第２の定電流パルスを供給する第２の開閉回路と、
前記第１の定電流を供給する第１の定電流電源と、
前記第１の定電流パルスが供給される第１の発光モジュールと、
前記第２の定電流を供給する第２の定電流電源と、
前記第２の定電流パルスが供給される第２の発光モジュールと、を有し、
前記第２の発光モジュールは、前記第１の発光モジュールと異なる色を呈する光を射出し、
前記第１の発光モジュールおよび前記第２の発光モジュールは、それぞれ発光素子および前記発光素子を挟持し、一方から光を射出する微小共振器を備え、
前記発光素子は、下部電極、前記下部電極と重なる上部電極、前記下部電極および前記上部電極に挟持される発光性の有機化合物を含む層を備え、
前記微小共振器は、反射膜、前記反射膜と重なる半透過・半反射膜を備える、発光装置。
【請求項１１】
第１の制御信号および第２の制御信号を供給する制御回路を有し、
制御回路は、検知信号を供給するセンサを備え、検知信号に応じて第１の制御信号および第２の制御信号を供給し、
第１の定電流電源は第１の制御信号を供給され、第１の制御信号に応じて第１の定電流の大きさを制御し、
第２の定電流電源は第２の制御信号を供給され、第２の制御信号に応じて第２の定電流の大きさを制御する、請求項１０記載の発光装置。
【請求項１２】
シャッタ信号が供給され、前記パルス状の光を照射する方向を撮影する撮像部と、
前記シャッタ信号を供給する請求項９または請求項１０に記載の発光装置と、を有し、
前記発光装置は、前記シャッタ信号を供給するマイコンを備える、撮像装置。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明は、例えば、半導体装置、表示装置、発光装置、防犯装置、撮像装置、それらの駆動方法、または、それらの製造方法に関する。特に、本発明は、例えば、発光装置、または情報処理装置に関する。
【背景技術】
【０００２】
情報伝達手段に係る社会基盤が充実されている。これにより、多様で潤沢な情報を職場や自宅だけでなく外出先でも情報処理装置を用いて取得、加工または発信できるようになっている。
【０００３】
このような背景において、携帯可能な情報処理装置が盛んに開発されている。
【０００４】
また、有機ＥＬ素子は膜状に形成することが可能であるため、大面積の素子を容易に形成することができ、照明等に応用できる面光源としての利用価値も高い。
【０００５】
例えば、特許文献１には、有機ＥＬ素子を用いた照明器具が開示されている。
【先行技術文献】
【特許文献】
【０００６】
【特許文献１】特開２００９−１３０１３２号公報
【発明の概要】
【発明が解決しようとする課題】
【０００７】
本発明の一態様は、新規な発光装置を提供することを課題の一とする。または、新規な情報処理装置を提供することを課題の一とする。または、本発明の一態様は、発光素子、筐体および筐体に脱着可能な光学部品を含む発光装置を提供することを課題の一とする。または、本発明の一態様は、光学部品が装着された状態で集光された光を照射し、光学部品が取り外された状態で拡散する光を照射することができる発光装置を提供することを課題の一とする。または、本発明の一態様は、照射する光の強さおよび方向を選択することができることができる発光装置を提供することを課題の一とする。または、本発明の一態様は、照射する光の方向を選択することができる発光装置を提供することを課題の一とする。または、本発明の一態様は、光学部品が装着された状態の発光素子を駆動する電流とは異なる大きさの電流で、光学部品が取り外された状態の発光素子を駆動することができる発光装置を提供することを課題の一とする。
【０００８】
本発明の一態様は、新規な撮像装置を提供することを課題の一とする。本発明の一態様は、指向性を有するパルス状の光を射出することができる発光装置を提供することを課題の一とする。本発明の一態様は、異なる色を呈し、指向性を有するパルス状の光を射出することができる発光装置を提供することを課題の一とする。本発明の一態様は、環境等を検知するセンサが供給する検知信号に応じた強度で、異なる色を呈し、指向性を有するパルス状の光を射出することができる発光装置を提供することを課題の一とする。本発明の一態様は、指向性を有するパルス状の光を射出して、パルス状の光が照射される方向を撮影することができる撮像装置などを提供することを課題の一とする。
【０００９】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１０】
本発明の一態様は、発光素子と、発光素子を支持する筐体と、筐体に脱着することができる光学部品と、を有する発光装置である。そして、発光素子は、第１の電極、第１の電極と重なる第２の電極および第１の電極と第２の電極に挟持される発光性の有機化合物を含む層を備える。また、光学部品は、筐体と係合する取り付け部材と、取り付け部材を用いて筐体に取り付けられた状態で発光素子が射出する光を集光する光学シートを備える。
【００１１】
また、本発明の一態様は、光学シートは、平面プリズム、フレンネルレンズまたはフライアイレンズを含む、上記の発光装置である。
【００１２】
これにより、光学部品が装着された状態で集光された光を照射し、光学部品が取り外された状態で拡散する光を照射することができる。その結果、照射する光の方向を選択することができることができる新規な発光装置を提供できる。または、新規な照明装置、情報処理装置などを提供することができる。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【００１３】
また、本発明の一態様は、定電流と制御パルス信号が供給され、定電流パルスを供給する開閉回路と、を有し、発光素子は、定電流パルスを供給される上記の発光装置である。
【００１４】
また、本発明の一態様は、光学部品の脱着状態を検知して、脱着信号を供給する検知回路と、脱着信号が供給され、脱着信号に応じた所定の大きさの定電流を供給する定電流電源と、を有し、発光素子は、定電流を供給される上記の発光装置である。
【００１５】
上記本発明の一態様の発光装置は、発光素子、筐体、筐体に脱着可能な光学部品および光学部品の脱着状態に応じて大きさが異なる電流を供給する定電流電源を含んで構成される。これにより、光学部品が装着された状態の発光素子を駆動する電流とは異なる大きさの電流で、光学部品が取り外された状態の発光素子を駆動して、拡散する光を照射することができる。その結果、照射する光の強さおよび方向を選択することができることができる。
【００１６】
また、本発明の一態様は、発光素子と、発光素子が光を照射する方向を撮影するように配置された撮像部と、発光素子および撮像部を支持する筐体と、筐体に脱着することができる光学部品と、を有する情報処理装置である。そして、発光素子は、第１の電極、第１の電極と重なる第２の電極および第１の電極と第２の電極に挟持される発光性の有機化合物を含む層を備える。また、光学部品は、筐体と係合する取り付け部材と、発光素子が射出する光を集光する光学シートを備える。
【００１７】
また、本発明の一態様は、光学シートは、平面プリズム、フレンネルレンズまたはフライアイレンズを含む、上記の情報処理装置である。
【００１８】
これにより、光学部品が装着された状態で集光された光を照射し、光学部品が取り外された状態で拡散する光を照射して、撮像することができる。その結果、照射する光の方向を選択することができる。
【００１９】
また、本発明の一態様は、定電流と制御パルス信号が供給され、定電流パルスを供給する開閉回路と、を有し、発光素子は、定電流パルスを供給される上記の情報処理装置である。
【００２０】
また、本発明の一態様は、光学部品の脱着状態を検知して、脱着信号を供給する検知回路と、脱着信号が供給され、脱着信号に応じた所定の大きさの定電流を供給する定電流電源と、を有し、発光素子は、定電流を供給される上記の情報処理装置である。
【００２１】
これにより、光学部品が装着された状態の発光素子を駆動する電流とは異なる大きさの電流で、光学部品が取り外された状態の発光素子を駆動して、拡散する光を照射することができる。その結果、照射する光の強さおよび方向を選択することができる。
【００２２】
本発明の一態様は、スタート信号を供給するスタートスイッチ回路と、スタート信号が供給され、制御パルス信号を供給するマイコンと、制御パルス信号と定電流が供給され、定電流パルスを供給する開閉回路と、定電流を供給する定電流電源と、定電流パルスが供給され、パルス状の光を射出する発光モジュールと、を有する発光装置である。なお、本明細書中では、基板上に発光モジュールを１つ以上有するものを発光パネルと記す。
【００２３】
そして、発光モジュールは、発光素子および発光素子を挟持し、一方から光を射出する微小共振器を備える。また、発光素子は、下部電極、下部電極と重なる上部電極、下部電極および上部電極に挟持される発光性の有機化合物を含む層を備える。また、微小共振器は、反射膜、反射膜と重なる半透過・半反射膜を備える。
【００２４】
これにより、発光モジュールから、指向性を有するパルス状の光を射出することができる。
【００２５】
また、本発明の一態様は、スタート信号を供給するスタートスイッチ回路と、スタート信号が供給され、制御パルス信号を供給するマイコンと、制御パルス信号と第１の定電流が供給され、第１の定電流パルスを供給する第１の開閉回路と、制御パルス信号と第２の定電流が供給され、第２の定電流パルスを供給する第２の開閉回路と、第１の定電流を供給する第１の定電流電源と、第１の定電流パルスが供給される第１の発光モジュールと、第２の定電流を供給する第２の定電流電源と、第２の定電流パルスが供給される第２の発光モジュールと、を有する。
【００２６】
そして、第２の発光モジュールは、第１の発光モジュールと異なる色を呈する光を射出する。また、第１の発光モジュールおよび第２の発光モジュールは、それぞれ発光素子および発光素子を挟持し、一方から光を射出する微小共振器を備える。また、発光素子は、下部電極、下部電極と重なる上部電極、下部電極および上部電極に挟持される発光性の有機化合物を含む層を備える。また、微小共振器は、反射膜、反射膜と重なる半透過・半反射膜を備える。
【００２７】
これにより、異なる色を呈し、指向性を有するパルス状の光を射出することができる。
【００２８】
また、本発明の一態様は、第１の制御信号および第２の制御信号を供給する制御回路を有し、制御回路は、検知信号を供給するセンサを備え、検知信号に応じて第１の制御信号および第２の制御信号を供給し、第１の定電流電源は第１の制御信号を供給され、第１の制御信号に応じて第１の定電流の大きさを制御し、第２の定電流電源は第２の制御信号を供給され、第２の制御信号に応じて第２の定電流の大きさを制御する、上記の発光装置である。
【００２９】
これにより、環境等を検知するセンサが供給する検知信号に応じた強度で、異なる色を呈し、指向性を有するパルス状の光を射出することができる。
【００３０】
また、本発明の一態様は、シャッタ信号が供給され、パルス状の光を照射する方向を撮影する撮像部と、シャッタ信号を供給する上記の発光装置と、を有する撮像装置である。そして、発光装置は、シャッタ信号を供給するマイコンを備える。
【００３１】
これにより、指向性を有するパルス状の光を射出して、パルス状の光を照射する方向を撮影することができる。
【００３２】
なお、本明細書において、ＥＬ層とは発光素子の一対の電極間に設けられた層を示すものとする。従って、電極間に挟まれた発光性の有機化合物を含む発光層はＥＬ層の一態様である。
【発明の効果】
【００３３】
本発明の一態様によれば、新規な発光装置を提供できる。または、新規な情報処理装置を提供できる。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００３４】
【図１】実施の形態に係る発光装置を説明する図。
【図２】実施の形態に係る発光装置の構成を説明するブロック図。
【図３】実施の形態に係る定電流パルスを生成する構成、および定電流パルスを説明する図。
【図４】実施の形態に係る情報処理装置を説明する図。
【図５】実施の形態に係る情報処理装置の構成を説明するブロック図。
【図６】発光パネルを説明する図。
【図７】発光パネルを説明する図。
【図８】発光パネルを説明する図。
【図９】発光パネルを説明する図。
【図１０】発光素子を説明する図。
【図１１】電子機器を説明する図。
【図１２】電子機器を説明する図。
【図１３】実施の形態に係る発光装置の構成を説明するブロック図。
【図１４】実施の形態に係る発光装置の構成を説明するブロック図。
【図１５】実施の形態に係る発光装置の構成を説明するブロック図。
【図１６】実施の形態に係る定電流パルスを生成する構成、および定電流パルスを説明する図。
【図１７】実施の形態に係る撮像装置の構成を説明するブロック図。
【図１８】実施の形態に係る発光装置の発光モジュールの構成を説明する模式図。
【図１９】実施の形態に係る発光装置の発光パネルの構成を説明する上面図。
【図２０】実施の形態に係る発光装置の発光パネルの構成を説明する上面図。
【図２１】実施の形態に係る発光装置の発光パネルの構成を説明する上面図。
【図２２】実施の形態に係る発光装置の発光パネルの構成を説明する上面図および断面図。
【図２３】実施の形態に係る発光装置の発光パネルの構成を説明する上面図。
【図２４】実施の形態に係る発光装置の発光パネルの構成を説明する断面図。
【発明を実施するための形態】
【００３５】
本発明の一態様の発光装置は、発光素子、筐体および筐体に脱着可能な光学部品を含んで構成される。これにより、光学部品が装着された状態で集光された光を照射し、光学部品が取り外された状態で拡散する光を照射することができる。その結果、照射する光の方向を選択することができる新規な発光装置を提供できる。
【００３６】
本発明の一態様の発光装置は、制御パルス信号を供給するマイコンと、制御パルス信号が供給され定電流パルスを供給する開閉回路と、定電流パルスが供給される発光モジュールと、を含んで構成される。また、発光モジュールは微小共振器とその間に発光素子を備える。
【００３７】
これにより、発光モジュールから、指向性を有するパルス状の光を射出することができる。
【００３８】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００３９】
（実施の形態１）
本実施の形態では、本発明の一態様の発光装置の構成について、図１を参照しながら説明する。
【００４０】
図１は本発明の一態様の発光装置２００の構成を説明する図である。
【００４１】
図１（Ａ−１）は本発明の一態様の発光装置２００の側面図であり、図１（Ａ−２）は上面図である。
【００４２】
図１（Ｂ−１）は本発明の一態様の発光装置２００が備える光学部品２５５の側面図であり、図１（Ｂ−２）は上面図である。
【００４３】
図１（Ｃ−１）は本発明の一態様の発光装置２００が備える筐体２５０および発光素子１２０の側面図であり、図１（Ｃ−２）は上面図である。
【００４４】
図２は本発明の一態様の発光装置の構成を説明するブロック図である。
【００４５】
図３は、発光装置２００の発光素子１２０が供給される定電流パルスを生成する構成、および定電流パルスを説明する図である。
【００４６】
本実施の形態で説明する発光装置２００は、発光素子１２０と、発光素子１２０を支持する筐体２５０と、筐体２５０に脱着することができる光学部品２５５と、を有する（図１参照）。
【００４７】
そして、発光素子１２０は、第１の電極、第１の電極と重なる第２の電極および第１の電極と第２の電極に挟持される発光性の有機化合物を含む層を備え、光学部品２５５は、筐体２５０と係合する取り付け部材２１０Ｓと、取り付け部材２１０Ｓを用いて筐体２５０に取り付けられた状態で発光素子１２０が射出する光を集光する光学シート２２０Ｓを備える。
【００４８】
また、光学シート２２０Ｓは、平面プリズム、フレンネルレンズまたはフライアイレンズを含む。
【００４９】
本実施の形態で説明する発光装置２００は、光学部品２５５が装着された状態で集光された光を照射し、光学部品２５５が取り外された状態で拡散する光を照射することができる。その結果、照射する光の方向を選択することができることができる新規な発光装置を提供できる。
【００５０】
本実施の形態で説明する発光装置２００は、光学部品２５５の脱着状態を検知して、脱着信号を供給する検知回路１４５Ｓと、脱着信号が供給され、脱着信号に応じた所定の大きさの定電流を供給する定電流電源１４０と、を有する。そして、発光素子１２０は、脱着信号に応じた所定の大きさの定電流を供給される（図２参照）。
【００５１】
本実施の形態で説明する発光装置２００は、光学部品２５５が装着された状態の発光素子１２０を駆動する電流とは異なる大きさの電流で、光学部品２５５が取り外された状態の発光素子１２０を駆動して、拡散する光を照射することができる。その結果、照射する光の強さおよび方向を選択することができる。
【００５２】
また、発光装置２００は、開閉器１３２と、開閉器１３２を含み開閉器１３２が動作するとスタート信号を供給するスタートスイッチ回路１３１と、を備える。
【００５３】
また、発光装置２００は、スタート信号が供給され、制御パルス信号を供給するマイコン１３７と、制御パルス信号と定電流が供給され、定電流パルスを供給する開閉回路１１０と、定電流を供給する定電流電源１４０と、定電流パルスが供給され、筐体２５０の外側にパルス状の光を射出する発光素子１２０と、を備える。
【００５４】
＜発光装置＞
以下に、発光装置２００を構成する個々の要素について説明する。
【００５５】
《発光素子》
単数または複数の発光素子１２０を用いることができる。また、一の支持基板に複数の発光素子が設けられた発光パネルを用いることもできる。
【００５６】
また、複数の発光素子を用いてもよく、各発光素子が異なる色を呈する光を射出する構成であってもよい。
【００５７】
また、異なる色を呈する発光素子の色ごとに定電流回路を用意して、発光素子ごとに供給する電流の大きさを独立して制御してもよい。これにより、射出する光の色や色温度を可変にすることができる。
【００５８】
また、支持基板に可撓性を有する材料を用いた可撓性を有する発光パネルは、曲面を有する筐体２５０に沿わせて配置することができる。これにより、筐体２５０の意匠を損なうことなく発光パネルを配置することができる。
【００５９】
有機ＥＬ素子を発光素子１２０に適用することができる。
【００６０】
有機ＥＬ素子が射出する光の強度は、どの観察方向についてもおよそ均等に分布する（ランバーシアンともいえる）。面状の有機ＥＬ素子を発光素子１２０に用いると、発光素子１２０は比較的均一な強度の光（拡散光ともいえる）を被照射面に照射できる。その結果、影がはっきりと生じにくい。
【００６１】
なお、有機ＥＬ素子を用いた発光パネルの構成を実施の形態３において詳細に説明し、有機ＥＬ素子の構成を実施の形態４において詳細に説明する。
【００６２】
有機ＥＬ素子を用いる発光パネルの発光部の総面積は、例えば０．５ｃｍ２以上１ｍ２以下であり、好ましくは５ｃｍ２以上２００ｃｍ２以下、より好ましくは１５ｃｍ２以上１００ｃｍ２以下である。なお、発光部の面積を大きくすることで、パルス状に射出する光の総量を大きくできる。
【００６３】
有機ＥＬ素子を用いる発光パネルの発光時の発光素子を流れる電流密度は、例えば１０ｍＡ／ｃｍ２以上２０００ｍＡ／ｃｍ２以下である。なお、電流密度を低減することで、パルス状の発光に伴う発光素子の発熱を抑制することができる。
【００６４】
《筐体》
筐体２５０は発光素子１２０を支持する。筐体２５０が発光素子１２０の外周を支持する構成であっても、筐体２５０の一部が透光性を有し、その内部に発光素子１２０を収納する構成であってもよい。
【００６５】
筐体２５０は、ガラス、樹脂、金属、または／およびセラミックス等を用いて構成することができる。
【００６６】
《光学部品》
光学部品２５５は、筐体２５０の外側に脱着することができる。光学部品２５５は、筐体２５０と係合する取り付け部材２１０Ｓと、光学シート２２０Ｓを備える。
【００６７】
取り付け部材２１０Ｓと光学シート２２０Ｓを一体に成形して、光学部品２５５を構成してもよい。
【００６８】
《取り付け部材》
取り付け部材２１０Ｓは、発光素子１２０が射出する光が光学シート２２０Ｓに入射するように、筐体２５０と係合する。
【００６９】
例えば、筐体２５０と嵌め合う大きさの凹部を有する構造を、取り付け部材２１０Ｓに適用できる。この場合、筐体２５０の上面と側面の一部が取り付け部材２１０Ｓで覆われる。
【００７０】
取り付け部材２１０Ｓに適用可能な材料としては、例えば樹脂や金属等の弾性体を挙げることができる。また、取り付け部材２１０Ｓに磁石や粘着剤を適用してもよい。
【００７１】
《光学シート》
光学シート２２０Ｓは、平面状、板状またはフィルム状の光学素子を備える。具体的には、平面プリズム、フレンネルレンズまたはフライアイレンズ等を含む。
【００７２】
光学シート２２０Ｓは、例えば面状の有機ＥＬ素子が射出する比較的均一な強度の光（拡散光ともいえる）を集光することにより、所定の方向を明るく照明できる。
【００７３】
例えば表面に微細な凹凸が形成されたフィルムや薄板等を光学シート２２０Ｓに適用できる。これにより、光学素子の厚さを例えば数十μｍ以上数ミリに以下に抑制できる。また、重量を例えば数グラムに抑制できる。その結果、光学部品２５５の可搬性を高めることができる。
【００７４】
フィルムや薄板等の表面に微細な凹凸が形成された光学シート２２０Ｓを作製する方法としては、ナノインプリント法、エンボス加工法、印刷法、フォトリソグラフィ法等の様々な方法を適用できる。
【００７５】
光学シート２２０Ｓに適用可能な材料としては、透光性を有する樹脂やガラス等を挙げることができる。
【００７６】
《開閉回路》
開閉回路１１０は、定電流と制御パルス信号が供給されている間、定電流パルスを発光素子１２０に供給する（図２）。
【００７７】
例えば、パワートランジスタを開閉回路１１０に適用できる。具体的には、パワートランジスタのゲートに制御パルス信号を供給し、第１の電極に定電流を供給し、第２の電極に発光素子１２０を電気的に接続して、開閉回路１１０を構成できる。例えば、２Ａの電流を５０ミリ秒の間、発光素子１２０に供給することができる。
【００７８】
《定電流電源》
定電流電源１４０は、第１の電圧を供給する電池と、第１の電圧が供給され第１の電圧より高い第２の電圧を供給する第１のＤＣＤＣコンバータと、第２の電圧が供給され電荷を供給するコンデンサと、電荷が供給され定電流を供給することができる第２のＤＣＤＣコンバータと、を有する（図３（Ａ）参照）。第２のＤＣＤＣコンバータに脱着信号を供給する構成とすることで、定電流電源１４０が供給する電流の大きさを、制御することができる。
【００７９】
第１のＤＣＤＣコンバータは、電池の電圧（第１の電圧）を昇圧して第２の電圧を供給する。
【００８０】
定電流電源１４０が供給する電流の時間の経過に伴う変化の一例を図３（Ｂ）に示す。
【００８１】
この構成によれば、コンデンサが電荷を第２のＤＣＤＣコンバータに供給する間において、第２のＤＣＤＣコンバータは定電流を供給することができる。なお、コンデンサに蓄えられた電荷が所定の量を下回ると、第２のＤＣＤＣコンバータは定電流を供給できなくなる。
【００８２】
定電流電源１４０は、少なくともマイコン１３７が供給する制御パルス信号の幅（例えば５０ミリ秒）より長く、定電流を供給することができる。
【００８３】
なお、電流が開閉回路１１０を流れると、コンデンサに蓄えられた電荷が消費される。これにより、定電流電源１４０は定電流を供給し続けることができなくなり、矩形波でない電流が発光素子１２０に流れる。その結果、発光素子１２０が所定の輝度より低い輝度で発光することになる。
【００８４】
所定の輝度より低い光を発すると、電力が無駄に消費されてしまう。
【００８５】
定電流電源１４０が定電流を供給できなくなる前に、開閉回路１１０は電流の供給を停止する。これにより、不要な電力の消費を抑制できる。なお、開閉回路１１０が供給する電流の一例を図３（Ｃ）に示す。
【００８６】
《マイコン》
マイコン１３７は、演算部ＣＰＵ、タイマ部ＴＩＭＥＲ、アナログデジタルコンバータＡＤＣ、入出力部Ｉ／Ｏ、記憶部ＭＥＭ、及び、データ信号を伝送する伝送路等を備える。
【００８７】
入出力部Ｉ／Ｏは、スタート信号及びパルス間隔変調信号が供給され、制御パルス信号を供給することができる。
【００８８】
アナログデジタルコンバータＡＤＣは、アナログ信号をデジタル信号に変換する。例えば、供給されるパルス間隔変調信号をデジタル信号に変換して供給する。
【００８９】
演算部ＣＰＵは、供給されたデータを、記憶部ＭＥＭに記憶されたプログラムに従って処理して、処理したデータを供給する。
【００９０】
タイマ部ＴＩＭＥＲは、命令に従って所定の時間を計測し、所定の時間の経過後に制御パルス信号を供給できる。または、所定の時間毎に繰り返し供給できる。
【００９１】
タイマ部ＴＩＭＥＲは、制御パルス信号の幅（半値幅）を決定する時間を計測できる。例えば、１ミリ秒以上１０００ミリ秒以下、好ましくは１０ミリ秒以上１００ミリ秒以下を制御パルス信号の所定の幅とすることができる。
【００９２】
記憶部ＭＥＭは、演算部ＣＰＵに実行させるプログラムを記憶する。
【００９３】
例えば、スタート信号が供給される期間が所定の時間より短い場合、マイコン１３７は制御パルス信号を一回供給する。
【００９４】
また、スタート信号が供給される期間が所定の時間又は所定の時間より長い場合、マイコン１３７は、パルス間隔変調信号に応じた間隔で、制御パルス信号を複数回供給する。
【００９５】
マイコン１３７が複数回供給する制御パルス信号の回数を、所定の数とすることができる。または、スタート信号が供給され続けている期間において、供給可能な数とすることができる。または、ひとたび途絶えたスタート信号が再度供給されるまでの期間において、供給可能な数とすることができる。
【００９６】
以下に、制御パルス信号をスタート信号が再度供給されるまで間欠的に供給し続けることができる構成について説明する。
【００９７】
開閉器１３２を用いて待機状態のマイコン１３７にハイ又はロウのスタート信号を供給する。マイコン１３７は所定の幅を有する矩形波を制御パルス信号として供給し、且つ、スタート信号が供給されている時間を計測する。
【００９８】
スタート信号が供給される期間が所定の時間より短い場合、マイコン１３７は制御パルス信号を一回供給した後、待機状態に復帰する。
【００９９】
スタート信号が供給される期間が所定の時間又は所定の時間より長い場合、マイコン１３７は所定のパルス間隔を、パルス間隔変調信号を変換したデジタル信号に応じて決定し、スタート信号が再度供給されるまでの期間、制御パルス信号を所定のパルス間隔で間欠的に供給し続ける。
【０１００】
《スタートスイッチ回路》
スタートスイッチ回路１３１は、開閉器１３２が操作されている期間、スタート信号としてハイ又はロウを供給する（図２参照）。
【０１０１】
なお、スタートスイッチ回路１３１から制御パルス信号を供給することもできる。例えば、開閉器１３２、ラッチ回路およびモノステイブル・マルチバイブレータを用いて、スタートスイッチ回路１３１を構成することができる。
【０１０２】
具体的には、開閉器１３２を用いてラッチ回路にハイまたはロウの信号を供給し、ラッチ回路はトリガ信号を供給し、トリガ信号が供給されたモノステイブル・マルチバイブレータは、所定の幅を有する矩形波を、制御パルス信号として供給する。
【０１０３】
《パルス間隔変調回路》
パルス間隔変調回路１３５は、パルス間隔変調信号を供給することができる。例えば、可変抵抗１３６を用いて変化した電圧をパルス間隔変調信号に用いることができる。パルス間隔変調信号は発光素子１２０をパルス状に発光させる間隔を調節する信号である。パルス状に発光させる間隔は、例えば６０Ｈｚ未満、２０Ｈｚ以下が好ましく、特に５Ｈｚ以下が好ましい。また、間隔は一定でなく、不規則であってもよい。
【０１０４】
《検知回路》
脱着状態を検知するセンサとしては、例えば、メカニカルスイッチ、光学式スイッチ、磁気センサ等を用いることができる。
【０１０５】
なお、記憶回路を用いて発光素子１２０の使用履歴を記憶して、発光素子１２０の劣化の程度を予測することができる。定電流電源１４０が供給する電流の大きさを、予測された発光素子１２０の劣化を補完するように制御する。
【０１０６】
なお、本実施の形態は、本明細書で示す他の実施の形態と適宜組み合わせることができる。
【０１０７】
（実施の形態２）
本実施の形態では、本発明の一態様の情報処理装置の構成について、図４および図５を参照しながら説明する。
【０１０８】
図４は本発明の一態様の情報処理装置２００Ｃの構成を説明する図である。
【０１０９】
図４（Ａ−１）は本発明の一態様の情報処理装置２００Ｃの側面図であり、図４（Ａ−２）は上面図である。
【０１１０】
図４（Ｂ−１）は本発明の一態様の情報処理装置２００Ｃが備える光学部品２５５Ｃの側面図であり、図４（Ｂ−２）は上面図である。
【０１１１】
図４（Ｃ−１）は本発明の一態様の情報処理装置２００Ｃが備える筐体２５０Ｃ、発光素子１２０Ｃおよび撮像部１５０の側面図であり、図４（Ｃ−２）は上面図である。
【０１１２】
図５は本発明の一態様の情報処理装置の構成を説明するブロック図である。
【０１１３】
本実施の形態で説明する情報処理装置２００Ｃは、発光素子１２０Ｃと、発光素子１２０Ｃが光を照射する方向を撮影することができる撮像部１５０と、発光素子１２０Ｃおよび撮像部１５０を備える筐体２５０Ｃと、筐体２５０Ｃに脱着することができる光学部品２５５Ｃと、を有する（図４参照）。
【０１１４】
そして、発光素子１２０Ｃは、第１の電極、前記第１の電極と重なる第２の電極および前記第１の電極と前記第２の電極に挟持される発光性の有機化合物を含む層を備え、光学部品２５５Ｃは、筐体２５０Ｃと係合する取り付け部材２１０Ｃと、取り付け部材２１０Ｃを用いて筐体２５０Ｃに取り付けられた状態で発光素子１２０Ｃが射出する光を集光する光学シート２２０Ｃを備える。
【０１１５】
また、光学シート２２０Ｃは、平面プリズム、フレンネルレンズまたはフライアイレンズを含む。
【０１１６】
本実施の形態で説明する情報処理装置２００Ｃは、光学部品２５５Ｃが装着された状態で集光された光を照射し、光学部品２５５Ｃが取り外された状態で拡散する光を照射して、撮像することができる。その結果、照射する光の方向を選択することができることができる新規な情報処理装置を提供できる。
【０１１７】
また、情報処理装置２００Ｃは、光学部品２５５Ｃの脱着状態を検知して、脱着信号を供給する検知回路１４５Ｓと、脱着信号が供給され、脱着信号に応じた所定の大きさの定電流を供給する定電流電源１４０と、を有する。そして、発光素子１２０Ｃは、脱着信号に応じて所定の大きさの定電流を供給される。
【０１１８】
本実施の形態で説明する情報処理装置２００Ｃは、光学部品２５５Ｃの脱着状態に応じて大きさが異なる電流を供給する定電流電源１４０を含んで構成される。これにより、光学部品２５５Ｃが装着された状態の発光素子１２０Ｃを駆動する電流とは異なる大きさの電流で、光学部品２５５Ｃが取り外された状態の発光素子１２０Ｃを駆動して、拡散する光を照射することができる。その結果、照射する光の強さおよび方向を選択することができることができる新規な情報処理装置を提供できる（図４参照）。
【０１１９】
また、本実施の形態で説明する情報処理装置２００Ｃは、画像情報ＩＭＧ、位置情報ＰＯＳＩおよび操作命令ＩＮＰＵＴが供給され、通信情報ＣＯＭおよび表示情報を含む出力情報ＯＵＴＰＵＴを供給する演算部２６１と、通信情報ＣＯＭおよび表示情報を含む出力情報ＯＵＴＰＵＴが供給され、画像情報ＩＭＧ、位置情報ＰＯＳＩおよび操作命令ＩＮＰＵＴを供給する入出力部２６２と、を有する（図５参照）。
【０１２０】
また、情報処理装置２００Ｃは、演算部２６１および入出力部２６２を収納する筐体２５０Ｃを有する。
【０１２１】
入出力部２６２は、開閉器１３２を含み開閉器１３２が動作するとスタート信号を供給するスタートスイッチ回路１３１と、を備える。
【０１２２】
また、情報処理装置２００Ｃは、スタート信号が供給され、制御パルス信号およびシャッタ信号を供給するマイコン１３７と、制御パルス信号と定電流が供給され、定電流パルスを供給する開閉回路１１０と、定電流を供給する定電流電源１４０と、定電流パルスが供給されパルス状の光を筐体２５０Ｃの外側に射出する発光素子１２０Ｃと、を備える。
【０１２３】
また、情報処理装置２００Ｃは、シャッタ信号が供給され、パルス状の光を照射する方向を撮影し画像情報ＩＭＧを供給する撮像部１５０と、シャッタ信号が供給され、位置情報ＰＯＳＩを供給することができる位置情報取得回路１６０と、通信情報ＣＯＭを通信網に送信する通信部１９０と、を備える。
【０１２４】
また、情報処理装置２００Ｃは、操作命令ＩＮＰＵＴを供給する入力機構２６３と、表示情報を含む出力情報ＯＵＴＰＵＴが供給され、表示情報を表示する表示部ＤＩＳＰを含む出力機構２６４と、を備える。
【０１２５】
そして、通信部１９０は、画像情報ＩＭＧを通信網に送信することができる。
【０１２６】
また、本実施の形態で説明する情報処理装置２００Ｃは、可変抵抗１３６を含み、パルス間隔変調信号を供給するパルス間隔変調回路１３５を有する。
【０１２７】
本実施の形態で説明する情報処理装置２００Ｃは、開閉器１３２の動作に伴いパルス状の光を射出する発光素子１２０Ｃと、パルス状の光を照射する方向を撮影し、画像情報ＩＭＧを供給する撮像部１５０と、画像情報ＩＭＧを通信網に送信する通信部１９０と、を含んで構成される。これにより、パルス状の光を被写体に照射して写真を撮影することができる。または、画像含む情報を通信網に送信することができる。
【０１２８】
＜情報処理装置＞
以下に、情報処理装置２００Ｃを構成する個々の要素について説明する。
【０１２９】
なお、本実施の形態で説明する情報処理装置２００Ｃは、シャッタ信号が供給される撮像部１５０を備える点、撮像部１５０を配置するために開口部が発光素子１２０Ｃ、筐体２５０Ｃ、取り付け部材２１０Ｃおよび光学シート２２０Ｃに設けられている点、演算部２６１を有する点、マイコン１３７がシャッタ信号を供給する点、シャッタ信号が供給される位置情報取得回路１６０、通信部１９０および入力機構２６３並びに出力機構２６４含む入出力部２６２を有する点が、実施の形態１で説明する発光装置２００の構成と異なる。ここでは異なる構成について詳細に説明し、同様の構成については、上記の説明を援用する。
【０１３０】
《撮像部》
撮像部１５０は、発光素子１２０Ｃが光を照射する方向を、発光素子１２０Ｃが光を照射するときに撮影する。例えば、デジタルスチルカメラ、デジタルビデオカメラまたは銀塩カメラ等を用いることができる。
【０１３１】
具体的には、発光素子１２０Ｃおよび撮像部１５０を筐体２５０Ｃに配置する。撮像部１５０は、発光素子１２０Ｃが光を照射する方向に向けて配置する。例えば、発光素子１２０Ｃに開口部を設け、撮像部１５０のレンズを発光素子１２０Ｃの開口部に配置する（図４（Ａ−２）参照）。
【０１３２】
光学部品２５５Ｃが取り外された状態の発光素子１２０Ｃは、拡散する光を被写体に照射することができる。拡散する光を被写体に照射すると、目障りな影が少ない画像を撮影できる。
【０１３３】
光学部品２５５Ｃを取り付けた状態の発光素子１２０Ｃは、集光された光を被写体に照射することができる。集光された光を被写体に照射すると、明るい画像を撮影できる。例えば、離れた被写体を、暗い場所で明るく撮影できる。
【０１３４】
《演算部と入出力部》
演算部２６１は、画像情報ＩＭＧ、位置情報ＰＯＳＩおよび操作命令ＩＮＰＵＴが供給され、通信情報ＣＯＭおよび表示情報を含む出力情報ＯＵＴＰＵＴを供給する。
【０１３５】
入出力部２６２は、通信情報ＣＯＭおよび表示情報を含む出力情報ＯＵＴＰＵＴが供給され、画像情報ＩＭＧ、位置情報ＰＯＳＩおよび操作命令ＩＮＰＵＴを供給する。
【０１３６】
演算部２６１は、演算回路、演算回路に実行させるプログラムを記憶する記憶部、伝送路および入出力インターフェース等を備える。
【０１３７】
入出力部２６２は、スタートスイッチ回路１３１、開閉器１３２、マイコン１３７、開閉回路１１０、発光素子１２０Ｃ、定電流電源１４０、撮像部１５０、位置情報取得回路１６０、通信部１９０、入力機構２６３および出力機構２６４等を備える。
【０１３８】
《入力機構》
情報処理装置２００Ｃに情報を供給する機構を、入力機構２６３に適用できる。
【０１３９】
例えば、音声情報や操作命令等を供給する機構として、マイクロフォンＭＩＣ、キーボードＫＢおよびタッチパネルＴＰ等を挙げることができる。
【０１４０】
具体的には、使用者はマイクロフォンＭＩＣを用いて音声情報を供給することができる。演算部２６１は音声情報をアナログ信号またはデジタル信号に変換して供給できる。通信部１９０は変換された音声情報を無線または有線で供給できる。通信網は、例えば遠隔地に音声情報を供給できる。
【０１４１】
《出力機構》
情報処理装置２００Ｃの使用者に情報を供給する機構を、出力機構２６４に適用できる。
【０１４２】
例えば、音声情報または／および画像情報を含む出力情報ＯＵＴＰＵＴが出力機構２６４に供給される場合、情報処理装置２００Ｃの使用者が音声情報を聴覚で取得できるように、スピーカＳＰを出力機構２６４に適用できる。また、表示情報を視覚で取得できるように、表示部ＤＩＳＰ等を出力機構２６４に適用できる。
【０１４３】
例えば、マトリクス状に複数の表示素子が配置された表示パネルを表示部ＤＩＳＰに適用することができる。具体的には、液晶表示パネル、有機ＥＬパネルまたは電子ペーパー等を表示部ＤＩＳＰに適用することができる。
【０１４４】
なお、一の情報処理装置２００Ｃは、他の情報処理装置が供給した音声情報を通信網から取得できる。
【０１４５】
通信部１９０は通信網が供給する音声情報を含む情報ＣＯＭを取得し、情報ＣＯＭを供給する。演算部２６１は音声情報を含む出力情報ＯＵＴＰＵＴを供給する。スピーカＳＰは音声情報を再生する。
【０１４６】
これにより、情報処理装置２００Ｃの使用者は、遠隔地から供給された音声情報を再生して、取得できる。これにより、情報処理装置２００Ｃを携帯電話として用いることができる。
【０１４７】
なお、本実施の形態は、本明細書で示す他の実施の形態と適宜組み合わせることができる。
【０１４８】
（実施の形態３）
本実施の形態では、本発明の一態様の発光装置に用いることができる発光パネルの構成について、図６乃至図９を用いて説明する。
【０１４９】
本発明の一態様の発光装置は、例えば、カメラのフラッシュとして用いることができる。ここで、カメラのフラッシュを小さくすると、その発光部は線状又は点状に近づく。光は光源から直進するため、一の物体が投影する影は、光源が小さいほど明瞭になる。これにより、例えば、フラッシュを用いて人の顔を暗い場所で撮影すると、鼻の影が頬に投影されてしまう場合がある。
【０１５０】
また、フラッシュが必要以上に強い光を発することで、本来明るさの強弱がある部分が写真で白一色になってしまう場合がある（いわゆる白飛び）。一方、フラッシュの発光が弱すぎると、暗い部分が写真で黒一色になってしまう場合がある（いわゆる黒潰れ）。したがって、フラッシュは、環境や被写体の状況によって、光量の調整が可能であることが好ましい。
【０１５１】
そこで、本発明の一態様では、発光パネルに、面光源である発光素子を用いる。例えば、有機ＥＬ素子を用いると、膜厚が薄く大面積の素子を容易に形成することができる。同じ光量を発する場合、面光源は、点光源や線光源に比べて、単位面積当たりの光量を少なくできる、又は発光時間を短くできる。これにより、単位面積当たりの発熱量を低減できる。また、発光面積が広いため放熱しやすい。したがって、発光パネルの局所的な発熱による劣化を抑制できる。無機材料を用いた発光ダイオード等を用いる場合に比べて、発光パネルの劣化が少なく、信頼性の高い発光装置を提供できる。
【０１５２】
また、発光パネルに、有機ＥＬ素子を用いると、従来のキセノンランプなどを用いる場合に比べて発光パネルを薄く、軽量にすることができる。また、発光に伴う発熱が発光パネルの広い面積に分散されるため、効率よく放熱される。これにより、発光パネルへの蓄熱が抑制され、発光パネルの劣化が抑制される。
【０１５３】
また、発光パネルが面光源であると、本発明の一態様の発光装置をカメラのフラッシュとして用いても被写体にはっきりとした影が生じにくい。
【０１５４】
発光性の有機化合物を選択して用いることにより、白色を呈する光を発するように、発光パネルを構成できる。例えば、互いに補色の関係にある色を発する複数の発光性の有機化合物を用いることができる。または、赤色、緑色及び青色を呈する発光性の有機化合物を用いることができる。これにより、ホワイトバランスに優れた発光装置を得ることができる。
【０１５５】
発光性の有機化合物を用いると、無機材料を用いた発光ダイオードに比べて幅が広い発光スペクトルを得られる。幅が広い発光スペクトルを有する光は、自然光に近く、写真の撮影に好適である。
【０１５６】
以下では、発光素子として有機ＥＬ素子を用いた発光パネルの構成例を説明する。
【０１５７】
《発光パネルの構成例１》
図６（Ａ）は、本発明の一態様の発光パネルを示す平面図であり、図６（Ｂ）は、図６（Ａ）を一点鎖線Ａ−Ｂで切断した断面図である。
【０１５８】
図６（Ａ）（Ｂ）に示す発光パネルは、支持基板４０１、封止基板４０５及び封止材４０７に囲まれた空間４１５内に、発光素子４０３を備える。発光素子４０３は、ボトムエミッション構造の有機ＥＬ素子であり、具体的には、支持基板４０１上に可視光を透過する第１の電極４２１を有し、第１の電極４２１上にＥＬ層４２３を有し、ＥＬ層４２３上に可視光を反射する第２の電極４２５を有する。
【０１５９】
本発明の一態様に適用する発光素子はボトムエミッション構造に限られず、例えばトップエミッション構造であってもよい。
【０１６０】
第１の端子４０９ａは、補助配線４１７及び第１の電極４２１と電気的に接続する。第１の電極４２１上には、補助配線４１７と重なる領域に、絶縁層４１９が設けられている。第１の端子４０９ａと第２の電極４２５は、絶縁層４１９によって電気的に絶縁されている。第２の端子４０９ｂは、第２の電極４２５と電気的に接続する。なお、本実施の形態では、補助配線４１７上に第１の電極４２１が形成されている構成を示すが、第１の電極４２１上に補助配線４１７を形成してもよい。
【０１６１】
支持基板４０１と大気との界面に光取り出し構造４１１ａを有することが好ましい。大気と支持基板４０１の界面に光取り出し構造４１１ａを設けることで、全反射の影響で大気に取り出せない光を低減し、発光パネルの光の取り出し効率を向上させることができる。
【０１６２】
また、発光素子４０３と支持基板４０１との間に光取り出し構造４１１ｂを有することが好ましい。光取り出し構造４１１ｂが凹凸を有する場合、光取り出し構造４１１ｂと第１の電極４２１の間に、平坦化層４１３を設けることが好ましい。これによって、第１の電極４２１を平坦な膜とすることができ、ＥＬ層４２３における第１の電極４２１の凹凸に起因するリーク電流の発生を抑制することができる。また、平坦化層４１３と支持基板４０１との界面に、光取り出し構造４１１ｂを有するため、全反射の影響で大気に取り出せない光を低減し、発光パネルの光の取り出し効率を向上させることができる。
【０１６３】
光取り出し構造４１１ａ及び光取り出し構造４１１ｂの材料としては、例えば、樹脂を用いることができる。また、光取り出し構造４１１ａ及び光取り出し構造４１１ｂとして、半球レンズ、マイクロレンズアレイや、凹凸構造が施されたフィルム、光拡散フィルム等を用いることもできる。例えば、支持基板４０１上に上記レンズやフィルムを、支持基板４０１又は該レンズもしくはフィルムと同程度の屈折率を有する接着剤等を用いて接着することで、光取り出し構造４１１ａ及び光取り出し構造４１１ｂを形成することができる。
【０１６４】
平坦化層４１３は、光取り出し構造４１１ｂと接する面よりも、第１の電極４２１と接する面のほうが平坦である。平坦化層４１３の材料としては、透光性を有し、高屈折率である材料（例えば、ガラス、樹脂等）を用いることができる。
【０１６５】
なお、本発明の一態様の発光パネルは、光取り出し構造を設けない構成とすることもできる。その場合、可視光を反射する第２の電極を鏡として用いることができ、好ましい。
【０１６６】
《発光パネルの構成例２》
図７（Ａ）は、本発明の一態様の発光パネルを示す平面図であり、図８（Ａ）（Ｂ）は、それぞれ図７（Ａ）を一点鎖線Ｘ１−Ｙ１で切断した断面図である。
【０１６７】
図８（Ａ）に示す発光パネルでは、支持基板１２２０上に絶縁膜１２２４を介して発光素子１２５０が設けられている。絶縁膜１２２４上には補助配線１２０６が設けられており、第１の電極１２０１と電気的に接続する。補助配線１２０６の一部は露出しており端子として機能する。第１の電極１２０１の端部及び導電層１２１０の端部は隔壁１２０５で覆われている。また、第１の電極１２０１を介して補助配線１２０６を覆う隔壁１２０５が設けられている。発光素子１２５０は、支持基板１２２０、封止基板１２２８、及び封止材１２２７により封止されている。支持基板１２２０の表面には光取り出し構造１２０９が貼り合わされている。支持基板１２２０及び封止基板１２２８に可撓性を有する基板を用いることで、可撓性を有する発光パネルを実現できる。
【０１６８】
発光素子１２５０はボトムエミッション構造の有機ＥＬ素子であり、具体的には、支持基板１２２０上に可視光を透過する第１の電極１２０１を有し、第１の電極１２０１上にＥＬ層１２０２を有し、ＥＬ層１２０２上に可視光を反射する第２の電極１２０３を有する。
【０１６９】
図８（Ｂ）に示す発光パネルでは、図８（Ａ）に示す発光パネルが有する支持基板１２２０及び光取り出し構造１２０９の代わりに、光取り出し構造を有する支持基板１２２９が設けられている。支持基板１２２９は支持体としての機能及び発光パネルの光の取り出し効率を向上させる機能の双方を有する。
【０１７０】
ここで、可撓性を有する基板上に発光パネルを形成する方法としては、例えば、可撓性を有する基板上に、発光素子を直接形成する第１の方法や、耐熱性の高い基板（以下、作製基板と記す）上に発光素子を形成した後、発光素子を可撓性を有する基板に転置する第２の方法がある。
【０１７１】
例えば、可撓性を有する程度に薄いガラス基板を用いる場合には、第１の方法を用いると、工程が簡略化されるため好ましい。
【０１７２】
また、第２の方法を適用することで、作製基板上で形成した透水性の低い絶縁膜を、可撓性を有する基板に転置することができる。したがって、透水性が高く、耐熱性が低い有機樹脂を、可撓性を有する基板に用いても、信頼性が高い発光パネルを作製できる。
【０１７３】
《発光パネルの構成例３》
図７（Ｂ）は、本発明の一態様の発光パネルを示す平面図であり、図９（Ａ）（Ｂ）は、それぞれ図７（Ｂ）を一点鎖線Ｘ２−Ｙ２で切断した断面図の一例であり、図９（Ｃ）は、図７（Ｂ）を一点鎖線Ｘ３−Ｙ３で切断した断面図である。
【０１７４】
図９（Ａ）乃至図９（Ｃ）に示す発光パネルは、一部に開口部を有する点で、発光パネルの構成例２と異なる。ここでは相違点のみを詳細に説明し、共通点については発光パネルの構成例２の説明を参酌するものとする。
【０１７５】
図９（Ａ）（Ｂ）に示すように、発光パネルは、開口部において、電極やＥＬ層が露出しないように、封止材１２２６を有することが好ましい。具体的には、発光パネルの一部を開口した後、露出した電極及びＥＬ層を少なくとも覆うように封止材１２２６を形成すればよい。封止材１２２６には、封止材１２２７と同様の材料を用いることができ、同一の材料であっても異なる材料であってもよい。
【０１７６】
なお、この開口部は、レーザーを照射することによって、形成してもよい。その場合、陰極として機能する電極と、陽極として機能する電極とは、ショートしないようにすることが望ましい。そのため、一例としては、開口部及び開口部の近辺では、陰極として機能する電極と、陽極として機能する電極とは、重ならないようにすることが望ましい。つまり、陰極として機能する電極、または／および、陽極として機能する電極は、開口部とは重ならないようにすることが望ましい。その場合の例を、図９（Ａ）（Ｂ）に示す。ただし、本発明の一態様は、これに限定されない。
【０１７７】
図９（Ａ）では、隔壁１２０５が形成されていない位置を開口した場合の例を示し、図９（Ｂ）では、隔壁１２０５が形成されている位置を開口した場合の例を示した。
【０１７８】
このような発光パネルを作製し、開口部と重なるようにカメラのレンズを配置することで、カメラのレンズの周囲に発光部を配置できる。そして、該発光部をカメラのフラッシュとして用いることができる。
【０１７９】
なお、基板の表面に光取出し構造を設けてもよい。
【０１８０】
《発光パネルの材料》
本発明の一態様の発光パネルに用いることができる材料の一例を記す。
【０１８１】
［基板］
発光素子からの光を取り出す側の基板には該光を透過する材料を用いる。例えば、ガラス、石英、セラミック、サファイア、有機樹脂などの材料を用いることができる。
【０１８２】
膜厚の薄い基板を用いることで、発光パネルの軽量化、薄型化を図ることができる。さらに、可撓性を有する程度の厚さの基板を用いることで、可撓性を有する発光パネルを実現できる。また、可撓性を有する発光パネルを使用しないときに折りたたんで収納することもできる。これにより、写真スタジオのレフ板（ｂｏａｒｄ  ｒｅｆｌｅｃｔｏｒ）に換えて、広い面積でフラッシュ発光する照明装置として用いることができる。または、折り畳むことができる照明装置を提供することができる。
【０１８３】
ガラスとしては、例えば、無アルカリガラス、バリウムホウケイ酸ガラス、アルミノホウケイ酸ガラス等を用いることができる。
【０１８４】
可撓性及び可視光に対する透過性を有する材料としては、例えば、可撓性を有する程度の厚さのガラスや、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、ポリシクロオレフィン樹脂、ポリスチレン樹脂、ポリアミドイミド樹脂、ＰＶＣ（ポリ塩化ビニル）樹脂等が挙げられる。特に、熱膨張係数の低い材料を用いることが好ましく、例えば、ポリアミドイミド樹脂、ポリイミド樹脂、ＰＥＴ等を好適に用いることができる。また、ガラス繊維などの無機フィラーを有機樹脂に混ぜて熱膨張係数を下げた基板を使用することもできる。このような材料を用いた基板は、重量が軽いため、該基板を用いた発光パネルも軽量にすることができる。
【０１８５】
また、発光を取り出さない側の基板は、透光性を有していなくてもよいため、上記に挙げた基板の他に、金属や合金を用いた金属基板等を用いることもできる。金属や合金は熱伝導性が高く、封止基板全体に熱を容易に伝導できるため、発光パネルの局所的な温度上昇を抑制することができ、好ましい。可撓性や曲げ性を得るためには、金属基板の厚さは、１０μｍ以上２００μｍ以下が好ましく、２０μｍ以上５０μｍ以下であることがより好ましい。
【０１８６】
金属基板を構成する材料としては、特に限定はないが、例えば、アルミニウム、銅、ニッケル、又はアルミニウム合金もしくはステンレス等の金属の合金などを好適に用いることができる。
【０１８７】
また、導電性の基板の表面を酸化する、又は表面に絶縁膜を形成するなどにより、絶縁処理が施された基板を用いてもよい。例えば、スピンコート法やディップ法などの塗布法、電着法、蒸着法、又はスパッタリング法などを用いて絶縁膜を形成してもよいし、酸素雰囲気で放置する又は加熱するほか、陽極酸化法などによって、基板の表面に酸化膜を形成してもよい。
【０１８８】
可撓性の基板としては、上記材料を用いた層が、発光パネルの表面を傷から保護するハードコート層（例えば、窒化シリコン層など）や、押圧を分散可能な材質の層（例えば、アラミド樹脂層など）等と積層されて構成されていてもよい。また、水分等による発光素子の寿命の低下等を抑制するために、窒化シリコン膜、酸化窒化シリコン膜等の窒素と珪素を含む膜や、窒化アルミニウム膜等の窒素とアルミニウムを含む膜等の透水性の低い絶縁膜を有していてもよい。
【０１８９】
ガラス層を用いることで、水や酸素に対するバリア性を向上させ、信頼性の高い発光パネルとすることができる。
【０１９０】
例えば、発光素子に近い側からガラス層、接着層、及び有機樹脂層を積層した基板を用いることができる。当該ガラス層の厚さとしては２０μｍ以上２００μｍ以下、好ましくは２５μｍ以上１００μｍ以下とする。このような厚さのガラス層は、水や酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層をガラス層よりも外側に設けることにより、ガラス層の割れやクラックを抑制し、機械的強度を向上させることができ、極めて信頼性が高いフレキシブルな発光パネルとすることができる。
【０１９１】
［絶縁膜］
支持基板と発光素子の間に、絶縁膜を形成してもよい。絶縁膜には、酸化シリコン膜、窒化シリコン膜、酸化窒化シリコン膜、窒化酸化シリコン膜などの無機絶縁膜を用いることができる。特に、発光素子への水分等の侵入を抑制するため、酸化シリコン膜、窒化シリコン膜、酸化アルミニウム膜等の透水性の低い絶縁膜を用いることが好ましい。同様の目的や材料で、発光素子を覆う絶縁膜を設けてもよい。
【０１９２】
［隔壁］
隔壁には、有機樹脂又は無機絶縁材料を用いることができる。有機樹脂としては、例えば、ポリイミド樹脂、ポリアミド樹脂、アクリル樹脂、シロキサン樹脂、エポキシ樹脂、又はフェノール樹脂等を用いることができる。無機絶縁材料としては、酸化シリコン、酸化窒化シリコン等を用いることができる。隔壁の作製が容易となるため、感光性の樹脂を用いることが好ましい。
【０１９３】
隔壁の形成方法は、特に限定されず、例えば、フォトリソグラフィ法、スパッタ法、蒸着法、液滴吐出法（インクジェット法等）、印刷法（スクリーン印刷、オフセット印刷等）等を用いればよい。
【０１９４】
［補助配線］
補助配線は必ずしも設ける必要は無いが、電極の抵抗に起因する電圧降下を抑制できるため、設けることが好ましい。
【０１９５】
補助配線の材料は、銅（Ｃｕ）、チタン（Ｔｉ）、タンタル（Ｔａ）、タングステン（Ｗ）、モリブデン（Ｍｏ）、クロム（Ｃｒ）、ネオジム（Ｎｄ）、スカンジウム（Ｓｃ）、ニッケル（Ｎｉ）、から選ばれた材料又はこれらを主成分とする合金を用いて、単層で又は積層して形成する。また、補助配線の材料としてアルミニウムを用いることもできるが、その場合には腐食が生じないように積層構造とし、ＩＴＯ（インジウムスズ酸化物）などと接しない層にアルミニウムを用いれば良い。補助配線の膜厚は、０．１μｍ以上３μｍ以下とすることができ、好ましくは、０．１μｍ以上０．５μｍ以下である。
【０１９６】
［封止材］
発光パネルの封止方法は限定されず、例えば、固体封止であっても中空封止であってもよい。例えば、ガラスフリットなどのガラス材料や、二液混合型の樹脂などの常温で硬化する硬化樹脂、光硬化性の樹脂、熱硬化性の樹脂などの樹脂材料を用いることができる。発光パネルは、窒素やアルゴンなどの不活性な気体で充填されていてもよく、ＰＶＣ樹脂、アクリル樹脂、ポリイミド樹脂、エポキシ樹脂、シリコーン樹脂、ＰＶＢ（ポリビニルブチラル）樹脂、ＥＶＡ（エチレンビニルアセテート）樹脂等の樹脂で充填されていてもよい。また、樹脂内に乾燥剤が含まれていてもよい。
【０１９７】
［光取り出し構造］
光取り出し構造としては、半球レンズ、マイクロレンズアレイ、凹凸構造が施されたフィルム、光拡散フィルム等を用いることができる。例えば、基板上に上記レンズやフィルムを、該基板又は該レンズもしくはフィルムと同程度の屈折率を有する接着剤等を用いて接着することで、光取り出し構造を形成することができる。
【０１９８】
本実施の形態の発光パネルは面光源であるため、発光装置に適用することで、フラッシュとして用いても被写体にはっきりとした影が生じにくい発光装置を提供できる。また、無機材料を用いた発光ダイオード等を用いる場合に比べて、多くの光量を発しても発光パネルの劣化が少なく、信頼性の高い発光装置を提供できる。また、キセノンランプ等を用いる場合に比べて、発光装置の小型化、薄型化が実現できる。
【０１９９】
なお、本実施の形態は、本明細書で示す他の実施の形態と適宜組み合わせることができる。
【０２００】
（実施の形態４）
本実施の形態では、本発明の一態様の発光装置に用いることができる発光素子について図１０を用いて説明する。
【０２０１】
《発光素子の構成例》
図１０（Ａ）に示す発光素子は、第１の電極２２０１及び第２の電極２２０５の間にＥＬ層２２０３を有する。本実施の形態では、第１の電極２２０１が陽極として機能し、第２の電極２２０５が陰極として機能する。
【０２０２】
第１の電極２２０１と第２の電極２２０５の間に、発光素子の閾値電圧より高い電圧を印加すると、ＥＬ層２２０３に第１の電極２２０１側から正孔が注入され、第２の電極２２０５側から電子が注入される。注入された電子と正孔はＥＬ層２２０３において再結合し、ＥＬ層２２０３に含まれる発光性の有機化合物が発光する。
【０２０３】
ＥＬ層２２０３は、発光性の有機化合物を含む発光層２３０３を少なくとも有する。
【０２０４】
また、ＥＬ層２２０３は、発光層２３０３以外の層として、正孔注入性の高い物質、正孔輸送性の高い物質、電子輸送性の高い物質、電子注入性の高い物質、又はバイポーラ性の物質（電子輸送性及び正孔輸送性が高い物質）等を含む層をさらに有していてもよい。ＥＬ層２２０３には低分子系化合物及び高分子系化合物のいずれを用いることもでき、無機化合物を含んでいてもよい。
【０２０５】
図１０（Ｂ）に示す発光素子は、第１の電極２２０１及び第２の電極２２０５の間にＥＬ層２２０３を有し、該ＥＬ層２２０３では、正孔注入層２３０１、正孔輸送層２３０２、発光層２３０３、電子輸送層２３０４、及び電子注入層２３０５が、第１の電極２２０１側からこの順に積層されている。
【０２０６】
図１０（Ｃ）（Ｄ）に示す発光素子のように、第１の電極２２０１及び第２の電極２２０５の間に複数のＥＬ層が積層されていてもよい。この場合、積層されたＥＬ層の間には、中間層２２０７を設けることが好ましい。中間層２２０７は、電荷発生領域を少なくとも有する。
【０２０７】
例えば、図１０（Ｃ）に示す発光素子は、第１のＥＬ層２２０３ａと第２のＥＬ層２２０３ｂとの間に、中間層２２０７を有する。また、図１０（Ｄ）に示す発光素子は、ｎ層のＥＬ層２３０３（１）乃至２３０３（ｎ）を（ｎは２以上の自然数）有し、各ＥＬ層の間には、中間層２２０７を有する。
【０２０８】
ＥＬ層２２０３（ｍ）とＥＬ層２２０３（ｍ＋１）の間に設けられた中間層２２０７における電子と正孔の挙動について説明する。第１の電極２２０１と第２の電極２２０５の間に、発光素子の閾値電圧より高い電圧を印加すると、中間層２２０７において正孔と電子が発生し、正孔は第２の電極２２０５側に設けられたＥＬ層２２０３（ｍ＋１）へ移動し、電子は第１の電極２２０１側に設けられたＥＬ層２２０３（ｍ）へ移動する。ＥＬ層２２０３（ｍ＋１）に注入された正孔は、第２の電極２２０５側から注入された電子と再結合し、当該ＥＬ層２２０３（ｍ＋１）に含まれる発光性の有機化合物が発光する。また、ＥＬ層２２０３（ｍ）に注入された電子は、第１の電極２２０１側から注入された正孔と再結合し、当該ＥＬ層２２０３（ｍ）に含まれる発光性の有機化合物が発光する。よって、中間層２２０７において発生した正孔と電子は、それぞれ異なるＥＬ層において発光に至る。
【０２０９】
なお、ＥＬ層同士を接して設けることで、両者の間に中間層と同じ構成が形成される場合は、中間層を介さずにＥＬ層同士を接して設けることができる。あるいは、ＥＬ層の一方の面に電荷発生領域が形成されている場合、その面に接してＥＬ層を設けることができる。
【０２１０】
また、それぞれのＥＬ層の発光色を異なるものにすることで、発光素子全体として、所望の色の発光を得ることができる。例えば、二つのＥＬ層を有する発光素子において、第１のＥＬ層の発光色と第２のＥＬ層の発光色を補色の関係になるようにすることで、発光素子全体として白色発光する発光素子を得ることも可能である。また、３つ以上のＥＬ層を有する発光素子の場合でも同様である。
【０２１１】
《発光素子の材料》
以下に、それぞれの層に用いることができる材料を例示する。なお、各層は、単層に限られず、二層以上積層してもよい。
【０２１２】
〈陽極〉
陽極として機能する電極（第１の電極２２０１）は、導電性を有する金属、合金、導電性化合物等を一種又は複数種用いて形成することができる。特に、仕事関数の大きい（４．０ｅＶ以上）材料を用いることが好ましい。例えば、ＩＴＯ、珪素もしくは酸化珪素を含有したインジウムスズ酸化物、インジウム亜鉛酸化物、酸化タングステン及び酸化亜鉛を含有した酸化インジウム、グラフェン、金、白金、ニッケル、タングステン、クロム、モリブデン、鉄、コバルト、銅、パラジウム、又は金属の窒化物（例えば、窒化チタン）等が挙げられる。
【０２１３】
なお、陽極が電荷発生領域と接する場合は、仕事関数の大きさを考慮せずに、様々な導電性材料を用いることができ、例えば、アルミニウム、銀、アルミニウムを含む合金等も用いることができる。
【０２１４】
〈陰極〉
陰極として機能する電極（第２の電極２２０５）は、導電性を有する金属、合金、導電性化合物などを１種又は複数種用いて形成することができる。特に、仕事関数が小さい（３．８ｅＶ以下）材料を用いることが好ましい。例えば、元素周期表の第１族又は第２族に属する元素（例えば、リチウム、セシウム等のアルカリ金属、カルシウム、ストロンチウム等のアルカリ土類金属、マグネシウム等）、これら元素を含む合金（例えば、Ｍｇ−Ａｇ、Ａｌ−Ｌｉ）、ユーロピウム、イッテルビウム等の希土類金属、これら希土類金属を含む合金、アルミニウム、銀等を用いることができる。
【０２１５】
なお、陰極が電荷発生領域と接する場合は、仕事関数の大きさを考慮せずに、様々な導電性材料を用いることができる。例えば、ＩＴＯ、珪素又は酸化珪素を含有したインジウムスズ酸化物等も用いることができる。
【０２１６】
電極は、それぞれ、真空蒸着法やスパッタリング法を用いて形成すれば良い。また、銀ペースト等を用いる場合には、塗布法やインクジェット法を用いれば良い。
【０２１７】
〈正孔注入層２３０１〉
正孔注入層２３０１は、正孔注入性の高い物質を含む層である。
【０２１８】
正孔注入性の高い物質としては、例えば、モリブデン酸化物、バナジウム酸化物、ルテニウム酸化物、タングステン酸化物、マンガン酸化物等の金属酸化物や、また、フタロシアニン（略称：Ｈ２Ｐｃ）、銅（ＩＩ）フタロシアニン（略称：ＣｕＰｃ）等のフタロシアニン系の化合物を用いることができる。
【０２１９】
また、ポリ（Ｎ−ビニルカルバゾール）（略称：ＰＶＫ）、ポリ（４−ビニルトリフェニルアミン）（略称：ＰＶＴＰＡ）などの高分子化合物や、ポリ（３，４−エチレンジオキシチオフェン）／ポリ（スチレンスルホン酸）（ＰＥＤＯＴ／ＰＳＳ）等の酸を添加した高分子化合物を用いることができる。
【０２２０】
また、正孔注入層２３０１を、電荷発生領域としても良い。この場合、仕事関数を考慮せずに様々な導電性材料を該陽極に用いることができる。電荷発生領域を構成する材料については後述する。
【０２２１】
〈正孔輸送層２３０２〉
正孔輸送層２３０２は、正孔輸送性の高い物質を含む層である。
【０２２２】
正孔輸送性の高い物質としては、電子よりも正孔の輸送性の高い物質であれば良く、特に、１０−６ｃｍ２／Ｖｓ以上の正孔移動度を有する物質であることが好ましい。例えば、４，４’−ビス［Ｎ−（１−ナフチル）−Ｎ−フェニルアミノ］ビフェニル（略称：ＮＰＢ又はα−ＮＰＤ）、４−フェニル−４’−（９−フェニルフルオレン−９−イル）トリフェニルアミン（略称：ＢＰＡＦＬＰ）等の芳香族アミン化合物、４，４’−ジ（Ｎ−カルバゾリル）ビフェニル（略称：ＣＢＰ）、９−［４−（１０−フェニル−９−アントリル）フェニル］−９Ｈ−カルバゾール（略称：ＣｚＰＡ）、９−フェニル−３−［４−（１０−フェニル−９−アントリル）フェニル］−９Ｈ−カルバゾール（略称：ＰＣｚＰＡ）等のカルバゾール誘導体、２−ｔｅｒｔ−ブチル−９，１０−ジ（２−ナフチル）アントラセン（略称：ｔ−ＢｕＤＮＡ）、９，１０−ジ（２−ナフチル）アントラセン（略称：ＤＮＡ）、９，１０−ジフェニルアントラセン（略称：ＤＰＡｎｔｈ）等の芳香族炭化水素化合物、ＰＶＫ、ＰＶＴＰＡ等の高分子化合物など、種々の化合物を用いることができる。
【０２２３】
〈発光層２３０３〉
発光層２３０３に含まれる発光性の有機化合物としては、蛍光性化合物や光性化合物を用いることができる。
【０２２４】
蛍光性化合物としては、例えば、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、Ｎ−（９，１０−ジフェニル−２−アントリル）−Ｎ，９−ジフェニル−９Ｈ−カルバゾール−３−アミン（略称：２ＰＣＡＰＡ）、ルブレン等が挙げられる。
【０２２５】
燐光性化合物としては、例えば、ビス［２−（４’，６’−ジフルオロフェニル）ピリジナト−Ｎ，Ｃ２’］イリジウム（ＩＩＩ）ピコリナート（略称：ＦＩｒｐｉｃ）、トリス（２−フェニルピリジナト−Ｎ，Ｃ２’）イリジウム（ＩＩＩ）（略称：Ｉｒ（ｐｐｙ）３）（アセチルアセトナト）ビス（３，５−ジメチル−２−フェニルピラジナト）イリジウム（ＩＩＩ）（略称：Ｉｒ（ｍｐｐｒ−Ｍｅ）２（ａｃａｃ））等の有機金属錯体が挙げられる。
【０２２６】
なお、発光層２３０３は、上述した発光性の有機化合物をゲスト材料として他の物質（ホスト材料）に分散させた構成としても良い。ホスト材料としては、各種のものを用いることができ、ゲスト材料よりも最低空軌道準位（ＬＵＭＯ準位）が高く、最高被占有軌道準位（ＨＯＭＯ準位）が低い物質を用いることが好ましい。
【０２２７】
この構成により、発光層２３０３の結晶化を抑制することができる。また、ゲスト材料の濃度が高いことによる濃度消光を抑制することができる。
【０２２８】
ホスト材料としては、上述の正孔輸送性の高い物質（例えば、芳香族アミン化合物やカルバゾール誘導体）や、後述の電子輸送性の高い物質（例えば、キノリン骨格又はベンゾキノリン骨格を有する金属錯体や、オキサゾール系配位子又はチアゾール系配位子を有する金属錯体）等を用いることができる。具体的には、トリス（８−キノリノラト）アルミニウム（ＩＩＩ）（略称：Ａｌｑ）、ビス（２−メチル−８−キノリノラト）（４−フェニルフェノラト）アルミニウム（ＩＩＩ）（略称：ＢＡｌｑ）などの金属錯体、３−（４−ビフェニリル）−４−フェニル−５−（４−ｔｅｒｔ−ブチルフェニル）−１，２，４−トリアゾール（略称：ＴＡＺ）、バソフェナントロリン（略称：ＢＰｈｅｎ）、バソキュプロイン（略称：ＢＣＰ）などの複素環化合物や、ＣｚＰＡ、ＤＮＡ、ｔ−ＢｕＤＮＡ、ＤＰＡｎｔｈなどの縮合芳香族化合物、ＮＰＢ等の芳香族アミン化合物等を用いることができる。
【０２２９】
また、ホスト材料は複数種用いることができる。例えば、結晶化を抑制するためにルブレン等の結晶化を抑制する物質をさらに添加しても良い。また、ゲスト材料へのエネルギー移動をより効率良く行うためにＮＰＢ、あるいはＡｌｑ等をさらに添加しても良い。
【０２３０】
また、発光層を複数設け、それぞれの層の発光色を異なるものにすることで、発光素子全体として、所望の色の発光を得ることができる。例えば、発光層を２つ有する発光素子において、第１の発光層の発光色と第２の発光層の発光色を補色の関係になるようにすることで、発光素子全体として白色発光する発光素子を得ることも可能である。また、発光層を３つ以上有する発光素子の場合でも同様である。
【０２３１】
〈電子輸送層２３０４〉
電子輸送層２３０４は、電子輸送性の高い物質を含む層である。
【０２３２】
電子輸送性の高い物質としては、正孔よりも電子の輸送性の高い物質であれば良く、特に、１０−６ｃｍ２／Ｖｓ以上の電子移動度を有する物質であることが好ましい。
【０２３３】
電子輸送性の高い物質としては、例えば、Ａｌｑ、ＢＡｌｑなど、キノリン骨格又はベンゾキノリン骨格を有する金属錯体等や、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体などを用いることができる。また、ＴＡＺ、ＢＰｈｅｎ、ＢＣＰなども用いることができる。
【０２３４】
〈電子注入層２３０５〉
電子注入層２３０５は、電子注入性の高い物質を含む層である。
【０２３５】
電子注入性の高い物質としては、例えば、リチウム、セシウム、カルシウム、フッ化リチウム、フッ化セシウム、フッ化カルシウム、酸化リチウム等のようなアルカリ金属、アルカリ土類金属、又はそれらの化合物を用いることができる。また、フッ化エルビウムのような希土類金属化合物を用いることができる。また、上述した電子輸送層２３０４を構成する物質を用いることもできる。
【０２３６】
〈電荷発生領域〉
電荷発生領域は、正孔輸送性の高い有機化合物に電子受容体（アクセプター）が添加された構成であっても、電子輸送性の高い有機化合物に電子供与体（ドナー）が添加された構成であってもよい。また、これらの両方の構成が積層されていてもよい。
【０２３７】
正孔輸送性の高い有機化合物としては、例えば、上述の正孔輸送層に用いることができる材料が挙げられ、電子輸送性の高い有機化合物としては、例えば、上述の電子輸送層に用いることができる材料が挙げられる。
【０２３８】
また、電子受容体としては、７，７，８，８−テトラシアノ−２，３，５，６−テトラフルオロキノジメタン（略称：Ｆ４−ＴＣＮＱ）、クロラニル等を挙げることができる。また、遷移金属酸化物、特に元素周期表における第４族乃至第８族に属する金属の酸化物が好ましい例として挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０２３９】
また、電子供与体としては、アルカリ金属、アルカリ土類金属、希土類金属、又は元素周期表における第１３族に属する金属及びその酸化物、炭酸塩を用いることができる。具体的には、リチウム、セシウム、マグネシウム、カルシウム、イッテルビウム、インジウム、酸化リチウム、炭酸セシウムなどを用いることが好ましい。また、テトラチアナフタセンのような有機化合物を電子供与体として用いてもよい。
【０２４０】
なお、上述したＥＬ層２２０３及び中間層２２０７を構成する層は、それぞれ、蒸着法（真空蒸着法を含む）、転写法、印刷法、インクジェット法、塗布法等の方法で形成することができる。
【０２４１】
なお、本実施の形態は、本明細書で示す他の実施の形態と適宜組み合わせることができる。
【０２４２】
（実施の形態５）
本実施の形態では、本発明の一態様の発光装置を用いた電子機器について図１１乃至図１３を用いて説明する。
【０２４３】
本発明の一態様の発光装置は、デジタルスチルカメラ等のカメラのフラッシュ、撮影機能を有する携帯電話機（携帯電話、携帯電話装置ともいう）や携帯情報端末が備えるカメラのフラッシュ等に用いることができる。また、自転車や自動車のライト、灯台、装飾用途などのイルミネーション等に用いることができる。
【０２４４】
また、本発明の一態様の発光装置は、例えば防犯装置に用いることができる。具体的には、暴漢に襲われた際に、発光装置を用いて暴漢のいる方向に指向性を有する光を照射する。これにより、暴漢が怯み犯罪を躊躇させることができる。
【０２４５】
また、携帯カメラやカメラ付携帯電話に設けられた発光装置は、カメラのフラッシュと防犯装置を兼ねることができる。具体的には、暴漢に向けて光を発して威嚇するだけでなく、暴漢を撮像することができる。これにより、犯罪の発生を未然に防ぐことができる。また、犯罪が発生した場合でも、撮影された画像により、犯人の特定を容易にする。
【０２４６】
また、本発明の一態様の発光装置を自転車等の警告灯に用いると、他の通行車両や通行人等に自らの位置を認知させることができる。これにより、事故の発生を未然に防ぐことができる。
【０２４７】
図１１（Ａ）はデジタルスチルカメラの一例を示している。デジタルスチルカメラ７３００は、筐体７３０１、レンズ７３０４、発光装置７３１０等を有する。発光装置７３１０には、本発明の一態様の発光装置が適用されている。発光装置７３１０の第１の発光部７３０３は、レンズ７３０４を囲うように配置されている。本発明の一態様の発光装置は可撓性を有するため、湾曲させることができる。デジタルスチルカメラ７３００では、第２の発光部７３０５が筐体７３０１の形状に沿って折り曲げられているため、第１の発光部７３０３をレンズ７３０４の周囲に広く配置できる。これにより、フラッシュを用いて人の顔を暗い場所で撮影する場合であっても、例えば鼻の影が頬に投影されにくくすることができる。なお、発光部７３０５を動作状態を示すインジケータとして用いてもよい。
【０２４８】
図１１（Ｂ）（Ｃ）は、携帯電話機の一例を示している。携帯電話機７３５０の一面（表面ともいえる）を図１１（Ｂ）に示し、該一面の背面（裏面ともいえる）を図１１（Ｃ）に示す。
【０２４９】
携帯電話機７３５０は、筐体７３５１、表示部７３５２、レンズ７３５４、発光装置７３６０等を有する。発光装置７３６０には、本発明の一態様の発光装置が適用されている。発光装置７３６０は発光部７３５３及び非発光部７３５５を有し、発光部７３５３は、レンズ７３５４を囲うように配置されている。発光部７３５３は、非発光時に鏡として用いる仕様であってもよい。
【０２５０】
図１２（Ａ）は、携帯電話機７３５０の発光装置７３６０が２つの発光パネル７３５３ａ、７３５３ｂを有する変形例である。
【０２５１】
図１３に図１２（Ａ）における発光装置７３６０のブロック図を示す。発光装置７３６０は、２つの発光パネル７３５３ａ、７３５３ｂ、駆動回路７３０、２つの定電流電源７４０ａ、７４０ｂ、及び２つの制御装置７５０ａ、７５０ｂを有する。
【０２５２】
２つの制御装置７５０ａ、７５０ｂには、携帯電話機７３５０の使用者が選択した条件に対応した信号や、各種センサからの検出信号が供給される。２つの制御装置７５０ａ、７５０ｂは、供給された信号や検出信号に応じた制御信号をそれぞれ供給する。例えば、光学部品の脱着状態を検知して、制御信号（脱着信号ということもできる）を供給する構成とすることができる。
【０２５３】
定電流電源７４０ａは、制御装置７５０ａから供給された制御信号に応じた定電流パルスを発光パネル７３５３ａに供給する。定電流電源７４０ｂは、制御装置７５０ｂから供給された制御信号に応じた定電流パルスを発光パネル７３５３ｂに供給する。したがって、２つの発光パネル７３５３ａ、７３５３ｂはそれぞれ独立に光量が調整される。これにより、発光装置が発する光量をより幅広い範囲で調整できるようになり、好ましい。
【０２５４】
また、それぞれ色や色温度の異なる発光パネルを用いてもよい。例えば、２つの発光パネルの色温度が異なる場合は、それぞれの発光パネルの光量を調整することで発光装置が適切な色温度の光を発することができる。
【０２５５】
２つの発光パネル７３５３ａ、７３５３ｂは、それぞれ独立に駆動回路７３０から、定電流電源７４０ａと７４０ｂを介して制御パルス信号が供給される。つまり、駆動回路７３０は、２つの発光パネル７３５３ａ、７３５３ｂに同一の制御パルス信号を供給してもよいし、異なる制御パルス信号を供給してもよい。
【０２５６】
なお、発光装置７３６０が２つ以上の駆動回路を有していてもよい。また、発光装置７３６０が３つ以上の発光パネルを有していてもよい。また、光量の調整ができない発光パネルと組み合わせてもよい。
【０２５７】
図１３に示す構成を有する発光装置７３６０では、発光パネル７３５３ａ、７３５３ｂをそれぞれ独立に発光させることができる。例えば、一方の発光パネルの発光のみで十分である場合は、一方の発光パネルのみを発光させ、より多くの光量が必要なときのみ双方の発光パネルを発光させてもよい。これにより、発光装置の消費電力や発光パネルの劣化を抑制できる。
【０２５８】
図１２（Ｂ）は、自転車の一例を示している。自転車７４００は、ライト７４０５を有する。ライト７４０５には、本発明の一態様の発光装置が適用されている。
【０２５９】
図１２（Ｃ）は、自動車の一例を示している。自動車７４１０は、ライト７４１５を有する。ライト７４１５には、本発明の一態様の発光装置が適用されている。
【０２６０】
本発明の一態様の発光装置を自転車や自動車のライトに用いる場合、例えば、光センサを用いて周囲の明るさを検知し、周囲が十分明るいときはライトを点灯しない、周囲が十分暗いときはライトを点滅させる、周囲の明るさが不十分ではあるが光が検出できるときは、ライトを点滅させ、かつその光量を多くする、等の制御を行うことができる。このように、本発明の一態様の発光装置は、適宜最適な光量に調整して発光を行うことができるため、省電力なライトを実現できる。
【０２６１】
なお、本実施の形態は、本明細書で示す他の実施の形態と適宜組み合わせることができる。
【０２６２】
（実施の形態６）
本実施の形態では、本発明の一態様の発光装置の構成について、図１４および図１８を参照しながら説明する。
【０２６３】
図１４は本発明の一態様の発光装置の構成を説明するブロック図である。
【０２６４】
図１８は本発明の一態様の発光装置に適用可能な発光モジュールの構成を説明する模式図である。
【０２６５】
＜発光装置の構成例１＞
本実施の形態で説明する発光装置１００Ａは、スタート信号を供給するスタートスイッチ回路１３１と、スタート信号が供給され、制御パルス信号を供給するマイコン１３７と、制御パルス信号と定電流が供給され、定電流パルスを供給する開閉回路１１０と、定電流を供給する定電流電源１４０と、定電流パルスが供給され、パルス状の光を射出する発光モジュール２９０と、を有する。
【０２６６】
そして、発光モジュール２９０は、発光素子２７０および発光素子２７０を挟持し、一方から光を射出する微小共振器２８０を備える（図１８（Ａ）参照）。また、発光素子２７０は、下部電極２７１、下部電極２７１と重なる上部電極２７５、下部電極２７１および上部電極２７５に挟持される発光性の有機化合物を含む層（例えばＥＬ層２７３）を備え、微小共振器２８０は、反射膜２８１および反射膜と重なる半透過・半反射膜２８３を備える。これにより、発光モジュールから、指向性を有するパルス状の光を射出することができる。
【０２６７】
また、本実施の形態で説明する発光装置１００Ａは、パルス間隔変調信号を供給するパルス間隔変調回路１３５を有する。マイコン１３７は、パルス間隔変調信号を供給される。
【０２６８】
以下に、発光装置１００Ａを構成する個々の要素について、実施の形態１の発光装置２００と異なる点について説明し、同様の構成については、上記の説明を援用する。
【０２６９】
《開閉回路》
開閉回路１１０は、定電流と制御パルス信号が供給されている間、定電流パルスを発光モジュール２９０に供給する。
【０２７０】
《定電流電源》
定電流電源１４０は、実施の形態１の発光装置の定電流電源１４０と同様の構成を有することができる（図１６（Ａ）参照）。また、定電流電源１４０、および開閉回路１１０が供給する電流の時間経過に伴う変化も、実施の形態１と同様である（図１６（Ｂ）、（Ｃ）参照）。
【０２７１】
《発光モジュール》
微小共振器を備える発光モジュールは、指向性を有する光を射出する。なお、発光装置１００Ａに適用可能な発光モジュールの構成は、実施の形態７において詳細に説明する。
【０２７２】
＜発光装置の構成例２＞
本発明の一態様の発光装置の別の構成について、図１５を参照しながら説明する。
【０２７３】
図１５は本発明の一態様の発光装置の別の構成を説明するブロック図である。
【０２７４】
発光装置１００Ｂは、制御パルス信号が供給される複数の開閉回路（１１０ａおよび１１０ｂ）、複数の定電流電源（１４０ａおよび１４０ｂ）および複数の発光モジュール（２９０Ｒおよび２９０Ｇ）を有する点が、図１４を参照しながら説明する発光装置１００Ａとは異なる。ここでは異なる構成について詳細に説明し、同様の構成を用いることができる部分は、上記の説明を援用する。
【０２７５】
本実施の形態で説明する発光装置１００Ｂは、スタート信号を供給するスタートスイッチ回路１３１と、スタート信号が供給され、制御パルス信号を供給するマイコン１３７と、制御パルス信号と第１の定電流が供給され、第１の定電流パルスを供給する第１の開閉回路１１０ａと、制御パルス信号と第２の定電流が供給され、第２の定電流パルスを供給する第２の開閉回路１１０ｂと、第１の定電流を供給する第１の定電流電源１４０ａと、第１の定電流パルスが供給される第１の発光モジュール２９０Ｒと、第２の定電流を供給する第２の定電流電源１４０ｂと、第２の定電流パルスが供給される第２の発光モジュール２９０Ｇと、を有する。
【０２７６】
そして、第２の発光モジュール２９０Ｇは、第１の発光モジュール２９０Ｒと異なる色を呈する光を射出する。
【０２７７】
第１の発光モジュール２９０Ｒおよび第２の発光モジュール２９０Ｇは、それぞれ発光素子および発光素子を挟持し、一方から光を射出する微小共振器を備える（図１８（Ｂ））。
【０２７８】
第１の発光モジュール２９０Ｒの発光素子は、下部電極を兼ねる光学調整層２８５Ｒ、下部電極と重なり上部電極を兼ねる半透過・半反射膜２８３、下部電極および上部電極に挟持される発光性の有機化合物を含む層（ＥＬ層２７３）を備える。また、微小共振器は、反射膜２８１Ｒ、反射膜２８１Ｒと重なる半透過・半反射膜２８３を備える。
【０２７９】
第２の発光モジュール２９０Ｇの発光素子は、下部電極を兼ねる光学調整層２８５Ｇ、下部電極と重なり上部電極を兼ねる半透過・半反射膜２８３、下部電極および上部電極に挟持される発光性の有機化合物を含む層（ＥＬ層２７３）を備える。また、微小共振器は、反射膜２８１Ｇ、反射膜２８１Ｇと重なる半透過・半反射膜２８３を備える。
【０２８０】
発光装置１００Ｂでは、複数の開閉回路（１１０ａおよび１１０ｂ）は同一または異なる大きさの定電流パルスを供給することができる。これにより、異なる色を呈し、指向性を有するパルス状の光を、強度を変えて射出することができる。
【０２８１】
以下に、発光装置１００Ｂを構成する発光装置１００Ａと異なる個々の要素について説明する。
【０２８２】
《第１の開閉回路および第２の開閉回路》
発光装置１００Ａの開閉回路１１０に用いることができる構成を、第１の開閉回路１１０ａおよび第２の開閉回路１１０ｂに適用できる。
【０２８３】
第１の開閉回路１１０ａおよび第２の開閉回路１１０ｂは、マイコン１３７が供給する制御パルス信号を同一のタイミングで供給される。
【０２８４】
第１の開閉回路１１０ａは第１の定電流電源１４０ａが供給する定電流の強度の定電流パルスを、第２の開閉回路１１０ｂは第２の定電流電源１４０ｂが供給する定電流の強度の定電流パルスを、同一のタイミングで供給する。
【０２８５】
《第１の定電流電源および第２の定電流電源》
発光装置１００Ａの定電流電源１４０に用いることができる構成を、第１の定電流電源１４０ａおよび第２の定電流電源１４０ｂに適用できる。
【０２８６】
第２の定電流電源１４０ｂは、第１の定電流電源１４０ａが供給する定電流の大きさと同一または異なる大きさの定電流を供給できる。
【０２８７】
《第１の発光モジュールおよび第２の発光モジュール》
発光装置１００Ａの発光モジュール２９０に用いることができる構成を、第１の発光モジュール２９０Ｒおよび第２の発光モジュール２９０Ｇに適用できる。
【０２８８】
第２の発光モジュール２９０Ｇは、第１の発光モジュール２９０Ｒと異なる色を呈する光を射出する。
【０２８９】
例えば、第２の発光モジュール２９０Ｇが備える微小共振器の反射膜２８１Ｇと半透過・半反射膜２８３の距離を、第１の発光モジュール２９０Ｒが備える微小共振器の反射膜２８１Ｒと半透過・半反射膜２８３の距離を異なるものとすればよい。具体的には、第２の発光モジュール２９０Ｇが備える光学調整層２８５Ｇの厚さと、第１の発光モジュール２９０Ｒが備える光学調整層２８５Ｒの厚さを異なるものとすればよい。
【０２９０】
例えば、第２の発光モジュール２９０Ｇが備える発光素子を、第１の発光モジュール２９０Ｒが備える発光素子が射出する光の色と異なる光を射出するものとすればよい。具体的には、第２の発光モジュール２９０Ｇが備える発光素子の発光性の有機化合物を含む層と、第１の発光モジュール２９０Ｒが備える発光素子の発光性の有機化合物を含む層を異なるものとすればよい。
【０２９１】
＜発光装置の構成例３＞
本発明の一態様の発光装置１００Ｃの構成について、図１６（Ｄ）を参照しながら説明する。なお、図１６（Ｄ）は、発光装置１００Ｃの構成のうち発光装置１００Ｂと異なる部分を説明するブロック図である。
【０２９２】
発光装置１００Ｃは、制御信号を供給する制御回路１４５Ｃを有する点、第１の定電流電源１４０ａおよび第２の定電流電源１４０ｂが制御信号に応じて定電流の大きさを制御して供給する点が、図１５を参照しながら説明する発光装置１００Ｂとは異なる。ここでは異なる構成について詳細に説明し、同様の構成を用いることができる部分は、上記の説明を援用する。
【０２９３】
発光装置１００Ｃは、発光装置１００Ｂの構成に加えて、第１の制御信号および第２の制御信号を供給する制御回路１４５Ｃを有する。
【０２９４】
そして、制御回路１４５Ｃは検知信号を供給するセンサを備え、検知信号に応じて第１の制御信号および第２の制御信号を供給する。
【０２９５】
第１の定電流電源１４０ａは第１の制御信号を供給され、第１の制御信号に応じて第１の定電流の大きさを制御する。また、第２の定電流電源１４０ｂは第２の制御信号を供給され、第２の制御信号に応じて第２の定電流の大きさを制御する。
【０２９６】
これにより、環境等を検知するセンサが供給する検知信号に応じて、異なる色を呈し、指向性を有するパルス状の光を射出することができる。
【０２９７】
《制御回路》
制御回路１４５Ｃは、発光装置１００Ｃが使用される環境を検知して、制御信号を供給する。
【０２９８】
例えば、光センサまたは距離センサ等をセンサに用いることができる。光センサは環境の明るさやスペクトル等を検知あるいは測定することができる。距離センサは発光装置が光を照射する対象物（例えば、カメラと共に用いる場合は被写体）までの距離を検知することができる。
【０２９９】
具体的には、第１の発光モジュールが与える波長領域が環境の光に不足している場合、制御回路１４５Ｃは第１の定電流電源１４０ａにより大きな電流を供給させるための制御信号を供給する。これにより、第１の発光モジュールを用いて環境に不足する光を補うことができる。
【０３００】
また、発光装置１００Ｃを撮像装置と共に用いることができる。これにより、色合い、色温度等が調整されたパルス状の光を被写体に照射して、撮影をすることができる。特に、撮像装置が用いられる環境を制御回路１４５Ｃが備えるセンサで観測して、パルス状の発光（フラッシュともいう）の色を発光モジュールごとに制御することができる。これにより、撮像装置が用いられる環境の光を補うように、または特定の光を強調することができる。
【０３０１】
具体的には、第１のステップにおいて、光センサで環境の光の成分を解析する。第２のステップにおいて、解析結果を補正するための制御信号を生成またはルックアップテーブルから取得する。第３のステップにおいて、制御信号が供給された定電流電源が供給する定電流から定電流パルスを生成し、パルス状の光を照射する。また、同時に撮像部を用いて撮影をする。
【０３０２】
また、発光モジュール２９０の使用履歴を記憶する記憶回路を制御回路に用いて、発光モジュール２９０の劣化の程度を予測してもよい。これにより、定電流電源１４０が供給する電流の大きさを制御することができる。具体的には、定電流の大きさを大きくして、発光モジュール２９０の使用に伴う輝度の低下を補完できる。
【０３０３】
なお、本実施の形態は、本明細書で示す他の実施の形態と適宜組み合わせることができる。
【０３０４】
（実施の形態７）
本実施の形態では、本発明の一態様の発光装置に適用可能な発光モジュールの構成について、図１８乃至図２４を参照しながら説明する。
【０３０５】
本発明の一態様の発光装置は、定電流パルスが供給され、パルス状の光を射出する発光モジュールを有する。該発光モジュールは、発光素子および発光素子を挟持し、一方から光を射出する微小共振器を備え、該発光素子は、下部電極、下部電極と重なる上部電極、下部電極および上部電極に挟持される発光性の有機化合物を含む層を備え、微小共振器は、反射膜、反射膜と重なる半透過・半反射膜を備える。
【０３０６】
微小共振器の内部に発光素子を配置することにより、発光素子が発する光が干渉し合い、特定の色を呈する光を効率よく取り出すことができる。言い換えると、特定の波長範囲の光を優先的に取り出すことができる。また、射出する光がランバーシアンである発光素子が内部に配置された場合であっても、微小共振器は指向性を有する光を与えことができる。
【０３０７】
また、微小共振器を備える発光モジュールを備えるフレキシブルな発光パネルを、光を射出する側が凹状になるように曲げると、集光されたパルス状の光を射出することができる。
【０３０８】
なお、実施の形態４に記載して説明した発光素子の構成を、本実施の形態の発光素子の構成の一部に用いることができる。
【０３０９】
本発明の一態様の発光装置は、発光モジュールを複数有していてもよい。複数の発光モジュールは、それぞれ異なる色を呈する光を射出してもよい。また、同じ色を呈する光を射出する発光モジュールを複数有していてもよい。
【０３１０】
単数または複数の発光モジュールを備える発光パネルの発光部の総面積は、例えば０．５ｃｍ２以上１ｍ２以下であり、好ましくは５ｃｍ２以上２００ｃｍ２以下、より好ましくは１５ｃｍ２以上１００ｃｍ２以下である。なお、発光部の面積を大きくすることで、パルス状に射出する光の総量を大きくできる。
【０３１１】
有機ＥＬ素子を用いる発光パネルの発光時の発光素子を流れる電流密度は、例えば１０ｍＡ／ｃｍ２以上２０００ｍＡ／ｃｍ２以下である。なお、電流密度を低減することで、パルス状の発光に伴う発光素子の発熱を抑制することができる。
【０３１２】
《発光モジュール》
図１８（Ａ）に示す発光モジュール２９０は、発光素子２７０および微小共振器２８０を有する。発光素子２７０は、下部電極２７１、ＥＬ層２７３、および上部電極２７５を有する。微小共振器２８０は、反射膜２８１および半透過・半反射膜２８３を有する。
【０３１３】
なお、微小共振器が有する反射膜や半透過・半反射膜が発光素子の電極を兼ねていてもよい。
【０３１４】
なお、本明細書において反射膜は入射する光の一部を反射し、かつ入射する光を透過しない膜をいい、半透過・半反射膜は入射する光の一部を透過し且つ反射する膜をいう。また、微小共振器に用いる半透過・半反射膜は、光の吸収が少ない膜が好ましい。
【０３１５】
例えば、金属膜、具体的には、アルミニウム、銀、金、白金、銅、アルミニウムを含む合金（例えば、アルミニウム−チタン合金、アルミニウム−ネオジム合金）、または銀を含む合金（銀−ネオジム合金）、銀を含む合金（マグネシウム−銀合金）等を反射膜に用いることができる。また、反射膜と同様の材料の、厚さ０．１ｎｍ以上１００ｎｍ未満の膜を半透過・半反射膜に用いることができる。具体的には、銀、銀マグネシウム（Ｍｇ−Ａｇ）合金、などは、均質な薄膜を形成し易いだけでなく、キャリアの注入に好適な仕事関数を有するため、好ましい。
【０３１６】
取り出す光の波長は、反射膜と半透過・半反射膜の間の距離に依存する。このため、反射膜と半透過・半反射膜の距離を調整するための光学調整層を発光素子に設ける。
【０３１７】
光学調整層に用いることができる材料としては、可視光に対して透光性を有する導電膜の他、ＥＬ層を構成する各層を適用できる。
【０３１８】
例えば、透光性を有する導電膜と反射膜の積層膜または透光性を有する導電膜と半透過・半反射膜の積層膜を、光学調整層を兼ねる下部電極または上部電極に用いることができる。
【０３１９】
また、厚さが調整された中間層（実施の形態４参照）を光学調整層に用いてもよい。中間層の電気抵抗はＥＬ層を構成する層に比べて低い。これにより、光学調整のために厚さを厚くしても、発光素子の駆動電圧の上昇を抑制できるため好ましい。
【０３２０】
図１９乃至図２１に、それぞれ異なる色を呈する光を射出する３つの発光モジュールを基板上に有する発光パネルの平面図を示す。図１９乃至図２１では、上部電極２７５など、一部の構成を省略して示す。
【０３２１】
図１９乃至図２１では、同じ色を呈する光を射出する複数の発光モジュールが１つの反射膜で連結している例を示すが、本発明の一態様はこれに限られない。
【０３２２】
図１９に示すように、各発光モジュールの発光面積は同一であってもよいし、図２０及び図２１に示すように、色ごとに発光面積が異なっていてもよい。例えば、図２０に示すように、視感度の低い青色を呈する光を射出する発光モジュール２９０Ｂの発光面積を最も広くし、視感度の高い緑色を呈する光を射出する発光モジュール２９０Ｇの発光面積を狭くしてもよい。また、異なる発光色の発光モジュールは、図１９及び図２０に示すように同一であってもよく、図２１に示すように異なっていてもよい。例えば、図２１では、１つの青色を呈する光を射出する第３の発光モジュール２９０Ｂに対して、赤色を呈する光を射出する第１の発光モジュール２９０Ｒ及び緑色を呈する光を射出する第２の発光モジュール２９０Ｇをそれぞれ複数有する例を示す。
【０３２３】
図１９における一点鎖線Ａ−Ｂ間の断面図の一例を図１８（Ｂ）に示す。
【０３２４】
図１８（Ｂ）に示す発光パネルは、基板４００と基板５００の間に、第１の発光モジュール２９０Ｒ、第２の発光モジュール２９０Ｇ、及び第３の発光モジュール２９０Ｂを有する。
【０３２５】
第１の発光モジュール２９０Ｒは、反射膜２８１Ｒ、光学調整層２８５Ｒ、ＥＬ層２７３、及び半透過・半反射膜２８３を有する。反射膜２８１Ｒには、定電流パルスが供給される。光学調整層２８５Ｒは、可視光に対する透光性を有する導電膜であり、下部電極を兼ねている。半透過・半反射膜２８３は、上部電極を兼ねている。
【０３２６】
第２の発光モジュール２９０Ｇは、反射膜２８１Ｇ、光学調整層２８５Ｇ、ＥＬ層２７３、及び半透過・半反射膜２８３を有する。反射膜２８１Ｇには、定電流パルスが供給される。光学調整層２８５Ｇは、可視光に対する透光性を有する導電膜であり、下部電極を兼ねている。半透過・半反射膜２８３は、上部電極を兼ねている。
【０３２７】
第３の発光モジュール２９０Ｂは、反射膜２８１Ｂ、ＥＬ層２７３、及び半透過・半反射膜２８３を有する。反射膜２８１Ｂには、定電流パルスが供給される。反射膜２８１Ｂは、可視光に対する反射性を有する導電膜であり、下部電極を兼ねている。半透過・半反射膜２８３は、上部電極を兼ねている。
【０３２８】
上部電極を兼ねる半透過・半反射膜２８３は一の連続する導電膜であって、複数の下部電極に重なるように設けられている。なお、半透過・半反射膜２８３は複数に分割されていてもよく、分割された半透過・半反射膜２８３のそれぞれが、一のまたは複数の下部電極に重ねて設けられる構成であってもよい。
【０３２９】
隣接する発光素子の間に隔壁４４０が設けられている。隔壁４４０は絶縁性の層であり、下部電極の端部を覆い、該下部電極と重なる開口部を有する。
【０３３０】
なお、隔壁４４０に可視光を吸収する材料を適用すると、隣接する発光素子一方から他方へ光が漏れる現象（光学的なクロストーク現象ともいうことができる）を抑制する効果を奏する。
【０３３１】
図１９における一点鎖線Ａ−Ｂ間の断面図の別の例を図１８（Ｃ）に示す。
【０３３２】
図１８（Ｃ）に示す発光パネルは、基板４００と基板５００の間に、第１の発光モジュール２９０Ｒ、第２の発光モジュール２９０Ｇ、及び第３の発光モジュール２９０Ｂを有する。
【０３３３】
第１の発光モジュール２９０Ｒは、反射膜２８１Ｒ、下部電極２７１、光学調整層２８５Ｒ、ＥＬ層２７３、上部電極２７５、半透過・半反射膜２８３、及び赤色着色層５４０Ｒを有する。反射膜２８１Ｒには、定電流パルスが供給される。
【０３３４】
第２の発光モジュール２９０Ｇは、反射膜２８１Ｇ、下部電極２７１、光学調整層２８５Ｇ、ＥＬ層２７３、上部電極２７５、半透過・半反射膜２８３、及び緑色着色層５４０Ｇを有する。反射膜２８１Ｇには、定電流パルスが供給される。
【０３３５】
第３の発光モジュール２９０Ｂは、反射膜２８１Ｂ、下部電極２７１、ＥＬ層２７３、上部電極２７５、半透過・半反射膜２８３、及び青色着色層５４０Ｂを有する。反射膜２８１Ｂには、定電流パルスが供給される。
【０３３６】
図１８（Ｃ）に示す各発光モジュールは、着色層（カラーフィルタ）を発光素子の光を取り出す側に備える。カラーフィルタを設けることにより、不要な光を吸収させることができる。また、各着色層の間には遮光層５１０を有する。
【０３３７】
次に、発光モジュールを有する発光パネルの構成について、図２２乃至図２４を参照しながら説明する。
【０３３８】
《発光パネルの構成例１》
図２２（Ａ）は、本発明の一態様の発光パネルを示す平面図であり、図２２（Ｂ）は、図２２（Ａ）を一点鎖線Ｃ−Ｄで切断した断面図である。
【０３３９】
図２２（Ａ）（Ｂ）に示す発光パネルは、支持基板４０１、封止基板４０５及び封止材４０７に囲まれた空間４１５内に、発光モジュール４０３ａと、発光モジュール４０３ａと異なる色を呈する光を射出する発光モジュール４０３ｂと、を備える。
【０３４０】
発光モジュール４０３ａは、トップエミッション構造の発光素子を有し、具体的には、支持基板４０１上に反射膜４２１Ｒを有し、反射膜４２１Ｒ上に下部電極を兼ねる光学調整層４２７を有し、光学調整層４２７上にＥＬ層４２３を有し、ＥＬ層４２３上に上部電極を兼ねる半透過・半反射膜４２５Ｈを有する。
【０３４１】
発光モジュール４０３ｂは、トップエミッション構造の発光素子を有し、具体的には、支持基板４０１上に下部電極を兼ねる反射膜４２１Ｒを有し、反射膜４２１Ｒ上にＥＬ層４２３を有し、ＥＬ層４２３上に上部電極を兼ねる半透過・半反射膜４２５Ｈを有する。
【０３４２】
反射膜４２１Ｒは、可視光に対する反射性を有する導電膜であり、光学調整層４２７は、可視光に対する透光性を有する導電膜である。
【０３４３】
本発明の一態様に適用する発光モジュールはトップエミッション構造に限られず、例えばボトムエミッション構造であってもよい。
【０３４４】
第１の端子４０９ａは、反射膜４２１Ｒと電気的に接続する。第１の端子４０９ａと半透過・半反射膜４２５Ｈは、絶縁層４１９によって電気的に絶縁されている。第２の端子４０９ｂは、半透過・半反射膜４２５Ｈと電気的に接続する。第２の端子４０９ｂと反射膜４２１Ｒは、絶縁層４１９によって電気的に絶縁されている。
【０３４５】
《発光パネルの構成例２》
図２３は、本発明の一態様の発光パネルを示す平面図であり、図２４（Ａ）（Ｂ）は、それぞれ図２３を一点鎖線Ｘ１−Ｙ１で切断した断面図の一例であり、図２４（Ｃ）は、図２３を一点鎖線Ｘ２−Ｙ２で切断した断面図である。
【０３４６】
図２４（Ａ）に示す発光パネルでは、支持基板１２２０上に絶縁膜１２２４を介して発光モジュール１２５０Ｍが設けられている。絶縁膜１２２４上には補助配線１２０６が設けられており、光学調整層１２０１Ｄ及び反射膜１２０４と電気的に接続する。補助配線１２０６の一部は露出しており端子として機能する。光学調整層１２０１Ｄ、反射膜１２０４、及び導電層１２１０の端部は隔壁１２０５で覆われている。また、光学調整層１２０１Ｄ及び反射膜１２０４を介して補助配線１２０６を覆う隔壁１２０５が設けられている。発光モジュール１２５０Ｍは、支持基板１２２０、封止基板１２２８、及び封止材１２２７により封止されている。支持基板１２２０及び封止基板１２２８に可撓性を有する基板を用いることで、可撓性を有する発光パネルを実現できる。
【０３４７】
発光モジュール１２５０Ｍはトップエミッション構造の発光素子を有し、具体的には、支持基板１２２０上に反射膜１２０４を有し、反射膜１２０４上に光学調整層１２０１Ｄを有し、光学調整層１２０１Ｄ上にＥＬ層１２０２を有し、ＥＬ層１２０２上に半透過・半反射膜１２０３Ｈを有する。反射膜１２０４は、可視光に対する反射性を有する導電膜である。光学調整層１２０１Ｄは、下部電極を兼ねる、可視光に対する透光性を有する導電膜である。半透過・半反射膜１２０３Ｈは、上部電極を兼ねる。
【０３４８】
図２４（Ａ）（Ｂ）に示すように、発光パネルは、開口部において、電極やＥＬ層が露出しないように、封止材１２２６を有することが好ましい。具体的には、発光パネルの一部を開口した後、露出した電極及びＥＬ層を少なくとも覆うように封止材１２２６を形成すればよい。封止材１２２６には、封止材１２２７と同様の材料を用いることができ、同一の材料であっても異なる材料であってもよい。
【０３４９】
図２４（Ａ）では、隔壁１２０５が形成されていない位置を開口した場合の例を示し、図２４（Ｂ）では、隔壁１２０５が形成されている位置を開口した場合の例を示した。
【０３５０】
なお、この開口部は、レーザーを照射することによって、形成してもよい。その場合、陰極として機能する電極と、陽極として機能する電極とは、ショートしないようにすることが望ましい。そのため、一例としては、開口部及び開口部の近辺では、陰極として機能する電極と、陽極として機能する電極とは、重ならないようにすることが望ましい。つまり、陰極として機能する電極、または／および、陽極として機能する電極は、開口部とは重ならないようにすることが望ましい。その場合の例を、図２４（Ａ）（Ｂ）に示す。ただし、本発明の一態様は、これに限定されない。
【０３５１】
このような発光パネルの開口部と重なるようにカメラのレンズを配置することで、カメラのレンズの周囲に発光部を配置できる。そして、該発光部をカメラのフラッシュとして用いることができる。
【０３５２】
なお、封止基板１２２８は光取り出し構造を有していてもよい。光取り出し構造を有することで、発光パネルの光の取り出し効率を向上させることができる。
【０３５３】
なお、実施の形態３で概説した方法を用いることで、可撓性を有する発光パネルを作製することもできる。
【０３５４】
《発光パネルの材料》
本発明の一態様の発光パネルに用いることができる材料の一例を記す。
【０３５５】
なお、実施の形態３で説明する材料と同様の材料を、基板、絶縁膜、隔壁、補助配線または封止材に適用することができる。また、実施の形態３で説明する光取り出し構造と同様の構造を光取り出し構造に適用することができる。
【０３５６】
［着色層、遮光層］
着色層は特定の波長帯域の光を透過する有色層である。例えば、赤色の波長帯域の光を透過する赤色（Ｒ）のカラーフィルタ、緑色の波長帯域の光を透過する緑色（Ｇ）のカラーフィルタ、青色の波長帯域の光を透過する青色（Ｂ）のカラーフィルタなどを用いることができる。各着色層は、様々な材料を用いて、印刷法、インクジェット法、フォトリソグラフィ法を用いたエッチング方法などでそれぞれ所望の位置に形成する。
【０３５７】
遮光層は、隣接する着色層の間に設けられている。遮光層は隣接する発光素子からの光を遮光し、隣接する発光素子間における混色を抑制する。ここで、着色層の端部を、遮光層と重なるように設けることにより、光漏れを抑制することができる。遮光層としては、発光素子からの発光を遮光する材料を用いることができ、例えば、金属材料や顔料や染料を含む樹脂材料を用いてブラックマトリクスを形成すればよい。
【０３５８】
また、着色層及び遮光層を覆うオーバーコートを設けてもよい。オーバーコートを設けることで、着色層に含有された不純物等の発光素子への拡散を防止することができる。オーバーコートは、発光素子からの発光を透過する材料から構成され、例えば窒化シリコン膜、酸化シリコン膜等の無機絶縁膜や、アクリル膜、ポリイミド膜等の有機絶縁膜を用いることができ、有機絶縁膜と無機絶縁膜との積層構造としてもよい。
【０３５９】
本実施の形態の発光パネルは面光源であるため、発光装置に適用することで、フラッシュとして用いても被写体にはっきりとした影が生じにくい発光装置を提供できる。また、無機材料を用いた発光ダイオード等を用いる場合に比べて、多くの光量を発しても発光パネルの劣化が少なく、信頼性の高い発光装置を提供できる。また、キセノンランプ等を用いる場合に比べて、発光装置の小型化、薄型化が実現できる。
【０３６０】
また、本実施の形態の発光パネルが発する光は、指向性を有する。カメラのフラッシュは、被写体の方向に指向性を有する光を発することが求められるため、本実施の形態の発光パネルを好適に用いることができる。
【０３６１】
なお、本実施の形態は、本明細書で示す他の実施の形態と適宜組み合わせることができる。
【０３６２】
（実施の形態８）
本実施の形態では、本発明の一態様の撮像装置の構成について、図１７を参照しながら説明する。
【０３６３】
図１７は本発明の一態様の撮像装置２００Ｖの構造を説明するブロック図である。
【０３６４】
＜撮像装置＞
本実施の形態で説明する撮像装置２００Ｖは演算部２１０および入出力部２２０を有する。入出力部２２０は、シャッタ信号が供給され、パルス状の光を照射する方向を撮影し、画像情報ＩＭＧを供給する撮像部１５０と、シャッタ信号を供給する上記の発光装置１００Ｂ、および、位置情報取得回路１６０、通信部１９０、入力機構２２１、出力機構２２２を有する。そして、発光装置１００Ｂは、シャッタ信号を供給するマイコン１３７を備える。これにより、指向性を有するパルス状の光を射出して、パルス状の光を照射する方向を撮影することができる。
【０３６５】
以下に、撮像装置２００Ｖを構成する個々の要素について説明する。
【０３６６】
《撮像部》
撮像部１５０は、第１の発光モジュール２９０Ｒおよび第２の発光モジュール２９０Ｇが光を照射する方向を、光を照射するときに撮影する。例えば、撮像素子と撮像素子に結像する光学系とを有する。具体的には、デジタルスチルカメラ、デジタルビデオカメラ等を用いることができる。撮像部１５０はシャッタ信号が供給されたときに撮像する。
【０３６７】
なお、第１の発光モジュール２９０Ｒおよび第２の発光モジュール２９０Ｇは、指向性を有する光を被写体に照射することができる。これにより、撮像部１５０は、被写体の明るい画像を撮影できる。例えば、撮像部１５０は、離れた被写体または暗い場所にある被写体の明るい画像を撮影できる。
【０３６８】
《演算部》
演算部２１０は、画像情報ＩＭＧ、位置情報ＰＯＳＩおよび操作命令ＩＮＰＵＴが供給され、通信情報ＣＯＭおよび表示情報を含む出力情報ＯＵＴＰＵＴを供給する。
【０３６９】
演算部２１０は、演算回路、演算回路に実行させるプログラムを記憶する記憶部、伝送路および入出力インターフェース等を備える。
【０３７０】
《入出力部》
入出力部２２０の発光装置は、開閉器１３２を含むスタートスイッチ回路１３１、マイコン１３７、第１の開閉回路１１０ａ、第２の開閉回路１１０ｂ、第１の発光モジュール２９０Ｒ、第２の発光モジュール２９０Ｇ、第１の定電流電源１４０ａおよび第２の定電流電源１４０ｂを備える。
【０３７１】
《位置情報取得回路》
位置情報取得回路１６０は、シャッタ信号が供給され、位置情報ＰＯＳＩを供給することができる。
【０３７２】
位置情報取得回路１６０は、例えば全地球測位網（ＧＰＳ：Ｇｌｏｂａｌ  Ｐｏｓｉｔｉｏｎｉｎｇ  Ｓｙｓｔｅｍ）から信号を受信し、解析することにより位置情報を取得する。なお、位置情報は、緯度と経度等の数値を含む。
【０３７３】
または、位置情報取得回路１６０は、例えば無線ＬＡＮ（Ｌｏｃａｌ  ａｒｅａ  ｎｅｔｗｏｒｋ）のあらかじめ位置が知られているアクセスポイントからの信号を受信し、その種類と強度を解析することにより位置情報を取得する。
【０３７４】
位置情報取得回路１６０は、取得した位置情報を供給する。
【０３７５】
例えば、演算部２１０は、位置情報ＰＯＳＩが付加された画像情報ＩＭＧを供給してもよい。通信部１９０は、位置情報が付加された画像情報を供給され、所定の宛先に該画像情報を送信することができる。
【０３７６】
《入力機構》
撮像装置２００Ｖに情報を供給することができる機構を、入力機構２２１に適用できる。
【０３７７】
例えば、音声情報や操作命令等を供給する機構として、マイクロフォンＭＩＣ、キーボードＫＢおよびタッチパネルＴＰ等を挙げることができる。
【０３７８】
具体的には、使用者はマイクロフォンＭＩＣを用いて音声情報を供給することができる。演算部２１０は音声情報をアナログ信号またはデジタル信号に変換して供給できる。通信部１９０は変換された音声情報を無線または有線で供給できる。通信網は、例えば遠隔地に音声情報を供給できる。
【０３７９】
《出力機構》
使用者に情報を供給することができる機構を、出力機構２２２に適用できる。
【０３８０】
例えば、音声情報を含む出力情報ＯＵＴＰＵＴが供給される場合、スピーカＳＰを出力機構２２２に適用できる。また、表示情報を含む出力情報ＯＵＴＰＵＴが供給される場合、表示部ＤＩＳＰ等を出力機構２２２に適用できる。
【０３８１】
例えば、マトリクス状に複数の表示素子が配置された表示パネルを表示部ＤＩＳＰに適用することができる。具体的には、液晶表示パネル、有機ＥＬパネルまたは電子ペーパー等を表示部ＤＩＳＰに適用することができる。
【０３８２】
なお、本実施の形態は、本明細書で示す他の実施の形態と適宜組み合わせることができる。
【符号の説明】
【０３８３】
１００Ａ    発光装置
１００Ｂ    発光装置
１００Ｃ    発光装置
１１０    開閉回路
１１０ａ    開閉回路
１１０ｂ    開閉回路
１２０    発光素子
１３１    スタートスイッチ回路
１３２    開閉器
１３５    パルス間隔変調回路
１３６    可変抵抗
１３７    マイコン
１４０    定電流電源
１４０ａ    定電流電源
１４０ｂ    定電流電源
１４５Ｃ    制御回路
１４５Ｓ    検知回路
１５０    撮像部
１６０    位置情報取得回路
１９０    通信部
２００    発光装置
２００Ｃ    情報処理装置
２００Ｖ    撮像装置
２１０    演算部
２１０Ｃ    部材
２１０Ｓ    部材
２２０    入出力部
２２０Ｃ    光学シート
２２０Ｓ    光学シート
２２１    入力機構
２２２    出力機構
２５０    筐体
２５０Ｃ    筐体
２５５    光学部品
２５５Ｃ    光学部品
２６１    演算部
２６２    入出力部
２６３    入力機構
２６４    出力機構
２７０    発光素子
２７１    下部電極
２７３    ＥＬ層
２７５    上部電極
２８０    微小共振器
２８１    反射膜
２８１Ｂ    反射膜
２８１Ｇ    反射膜
２８１Ｒ    反射膜
２８３    半透過・半反射膜
２８５Ｇ    光学調整層
２８５Ｒ    光学調整層
２９０    発光モジュール
２９０Ｂ    発光モジュール
２９０Ｇ    発光モジュール
２９０Ｒ    発光モジュール
４００    基板
４０１    支持基板
４０３    発光素子
４０３ａ    発光モジュール
４０３ｂ    発光モジュール
４０５    封止基板
４０７    封止材
４０９ａ    端子
４０９ｂ    端子
４１１ａ    構造
４１１ｂ    構造
４１３    平坦化層
４１５    空間
４１７    補助配線
４１９    絶縁層
４２１    電極
４２１Ｒ    反射膜
４２３    ＥＬ層
４２５    電極
４２５Ｈ    半透過・半反射膜
４２７    光学調整層
４４０    隔壁
５００    基板
５１０    遮光層
５４０Ｂ    青色着色層
５４０Ｇ    緑色着色層
５４０Ｒ    赤色着色層
７３０    駆動回路
７５０ａ    制御装置
７５０ｂ    制御装置
１２０１    電極
１２０１Ｄ    光学調整層
１２０２    ＥＬ層
１２０３    電極
１２０３Ｈ    半透過・半反射膜
１２０４    反射膜
１２０５    隔壁
１２０６    補助配線
１２０９    構造
１２０Ｃ    発光素子
１２１０    導電層
１２２０    支持基板
１２２４    絶縁膜
１２２６    封止材
１２２７    封止材
１２２８    封止基板
１２２９    支持基板
１２５０    発光素子
１２５０Ｍ    発光モジュール
２２０１    電極
２２０３    ＥＬ層
２２０３ａ    ＥＬ層
２２０３ｂ    ＥＬ層
２２０５    電極
２２０７    中間層
２３０１    正孔注入層
２３０２    正孔輸送層
２３０３    発光層
２３０４    電子輸送層
２３０５    電子注入層
７３００    デジタルスチルカメラ
７３０１    筐体
７３０３    発光部
７３０４    レンズ
７３０５    発光部
７３１０    発光装置
７３５０    携帯電話機
７３５１    筐体
７３５２    表示部
７３５３    発光部
７３５３ａ    発光パネル
７３５３ｂ    発光パネル
７３５４    レンズ
７３５５    非発光部
７３６０    発光装置
７４００    自転車
７４０５    ライト
７４０ａ    定電流電源
７４０ｂ    定電流電源
７４１０    自動車
７４１５    ライト
ＣＰＵ    演算部
ＤＩＳＰ    表示部
Ｉ／Ｏ    入出力部
【図１】
2015084324.tif 000003
【図２】
2015084324.tif 000004
【図３】
2015084324.tif 000005
【図４】
2015084324.tif 000006
【図５】
2015084324.tif 000007
【図６】
2015084324.tif 000008
【図７】
2015084324.tif 000009
【図８】
2015084324.tif 000010
【図９】
2015084324.tif 000011
【図１０】
2015084324.tif 000012
【図１１】
2015084324.tif 000013
【図１２】
2015084324.tif 000014
【図１３】
2015084324.tif 000015
【図１４】
2015084324.tif 000016
【図１５】
2015084324.tif 000017
【図１６】
2015084324.tif 000018
【図１７】
2015084324.tif 000019
【図１８】
2015084324.tif 000020
【図１９】
2015084324.tif 000021
【図２０】
2015084324.tif 000022
【図２１】
2015084324.tif 000023
【図２２】
2015084324.tif 000024
【図２３】
2015084324.tif 000025
【図２４】
2015084324.tif 000026